(57)【要約】【課題】２つの無線電子機器の無線処理ポイントを最適に整合できるようにすると共に、一方の無線電子機器から他方の無線電子機器へ所定の電力を供給したり、２つの無線電子機器間で所望の通信処理を実行できるようにする。【解決手段】所定指向性のアンテナコイル１１３を有し、かつ、機器載置面に表示機能部１２を有して無線通信処理をする電源供給装置１と、所定指向性のアンテナコイル２１１を有し、かつ、当該アンテナコイル２１１をアンテナコイル１１３に整合させるためのアンテナ整合用の端末情報を有して無線通信処理をする端末装置２とを備え、電源供給装置１は、端末装置２から端末情報を受信し、この端末情報に基づいて表示機能部１２に端末装置２の外形映像Ｐａを表示するものである。【選択図】    図１
2008148148.tif 000002
【特許請求の範囲】
【請求項１】
２つの無線電子機器間のアンテナを整合させて無線処理をするシステムであって、
所定指向性のアンテナを有し、かつ、機器載置面に表示部を有して無線通信処理をする第１の無線電子機器と、
所定指向性のアンテナを有し、かつ、当該アンテナを前記第１の無線電子機器のアンテナに整合させるためのアンテナ整合用の端末情報を有して無線通信処理をする第２の無線電子機器とを備え、
前記第１の無線電子機器は、
前記第２の無線電子機器から前記端末情報を受信し、
前記端末情報に基づいて前記表示部に前記第２の無線電子機器の外形映像を表示することを特徴とする無線処理システム。
【請求項２】
前記端末情報は、
前記第２の無線電子機器に備えられ、
前記第１の無線電子機器に対するアンテナ整合時の位置座標系における自機の外形映像とアンテナ指向性との関係を表示するための外形情報であることを特徴とする請求項１に記載の無線処理システム。
【請求項３】
前記端末情報は、
前記第２の無線電子機器に備えられ、
前記第１の無線電子機器に対するアンテナ整合時の位置座標系における自機の外形映像とアンテナ指向性との関係を表示するための外形情報を読み出す識別情報であり、
前記第１の無線電子機器は、
前記第２の無線電子機器から受信した前記識別情報によって読み出される複数の外形情報を機種別に記憶する記憶部を備えることを特徴とする請求項１に記載の無線処理システム。
【請求項４】
前記第１の無線電子機器の表示部に表示された前記外形映像に沿って前記第２の無線電子機器を載置するようになされることを特徴とする請求項１に記載の無線処理システム。
【請求項５】
前記第１の無線電子機器は、電源を供給する機能を有しており、
前記端末情報に基づいて機器載置面の表示部に前記第２の無線電子機器の外形映像を表示する共に、前記第２の無線電子機器が機器載置面に載置されると、当該第２の無線電子機器に対して非接触に電源を供給することを特徴とする請求項１に記載の無線処理システム。
【請求項６】
前記端末情報は、
前記第２の無線電子機器の外形情報及び第１の無線電子機器に対して最適な電源供給ポイントを与える座標情報であり、
前記第１の無線電子機器は、
前記第２の無線電子機器から前記外形情報及び座標情報を取得して当該第２の無線電子機器の外形映像を機器載置面上に表示することを特徴とする請求項５に記載の無線処理システム。
【請求項７】
前記端末情報は、
前記第２の無線電子機器の種別を識別する識別情報であり、
前記第１の無線電子機器は、
前記識別情報に対応した前記第２の無線電子機器の外形情報及び座標情報を記憶する記憶部を備え、
当該第１の無線電子機器は、
前記第２の無線電子機器から前記識別情報を取得し、
前記識別情報に基づいて前記記憶部から第２の無線電子機器の外形情報及び座標情報を読み出し、当該第２の無線電子機器の外形映像を機器載置面の表示部に表示することを特徴とする請求項５に記載の無線処理システム。
【請求項８】
前記第１の無線電子機器及び前記第２の無線電子機器は、各々がデータ通信をする機能を有しており、
前記第１の無線電子機器は、
前記端末情報に基づいて機器載置面の表示部に前記第２の無線電子機器の外形映像を表示する共に、前記第２の無線電子機器が機器載置面に載置されると、当該第２の無線電子機器に対して非接触にデータ通信を実行することを特徴とする請求項１に記載の無線処理システム。
【請求項９】
前記端末情報は、
前記第２の無線電子機器の外形情報及び第１の無線電子機器に対して所定のデータ通信ポイントを与える座標情報であり、
前記第１の無線電子機器は、
前記第２の無線電子機器から前記外形情報及び座標情報を取得して当該第２の無線電子機器の外形映像を機器載置面上に表示することを特徴とする請求項８に記載の無線処理システム。
【請求項１０】
前記端末情報は、
前記第２の無線電子機器の種別を識別する識別情報であり、
前記第１の無線電子機器は、
前記識別情報に対応した前記第２の無線電子機器の外形情報及び座標情報を記憶する記憶部を備え、
当該第１の無線電子機器は、
前記第２の無線電子機器から前記識別情報を取得し、
前記識別情報に基づいて前記記憶部から第２の無線電子機器の外形情報及び座標情報を読み出し、当該第２の無線電子機器の外形映像を機器載置面の表示部に表示することを特徴とする請求項８に記載の無線処理システム。
【請求項１１】
前記第２の無線電子機器は、
所定の電源供給ポイントを与える座標情報と、所定のデータ通信ポイントを与える座標情報とを同一の値として格納し、
前記第１の無線電子機器の機器載置面の表示部には、前記電源供給ポイントを与える外形映像と、前記データ通信ポイントを与える外形映像とが共通して表示されることを特徴とする請求項９に記載の無線処理システム。
【請求項１２】
前記第２の無線電子機器は、
所定の電源供給ポイントを与える座標情報と、所定のデータ通信ポイントを与える座標情報とがそれぞれ記憶され、
前記第１の無線電子機器の機器載置面の表示部には、前記電源供給ポイントを与える外形映像と、前記データ通信ポイントを与える外形映像とが独立して表示されることを特徴とする請求項９に記載の無線処理システム。
【請求項１３】
前記電源供給ポイントを与える外形映像及び前記データ通信ポイントを与える外形映像とが異なる色で区別して表示されることを特徴とする請求項１２に記載の無線処理システム。
【請求項１４】
所定指向性のアンテナを有し、かつ、機器載置面に表示部を有して無線通信処理をする第１の無線電子機器と、所定指向性のアンテナを有し、かつ、当該アンテナを前記第１の無線電子機器のアンテナに整合させるためのアンテナ整合用の端末情報を有して無線通信処理をする第２の無線電子機器との間の２つのアンテナを整合させて無線処理をする方法であって、
アンテナ整合時、
前記第２の無線電子機器は、
前記第１の無線電子機器へ前記端末情報を送信し、
前記第１の無線電子機器は、
前記第２の無線電子機器から前記端末情報を受信し、
前記端末情報に基づいて前記表示部に前記第２の無線電子機器の外形映像を表示することを特徴とする無線処理方法。
【請求項１５】
２つの無線電子機器間でアンテナを整合させて無線処理をするシステムで適用可能な無線電子機器であって、
所定の指向性を有するアンテナと、
前記アンテナを整合させる機器載置面に設けられた表示部と、
前記表示部に載置された他の無線電子機器との間で無線通信処理をする無線処理部とを備え、
当該無線電子機器に対するアンテナ整合時の位置座標系における他の無線電子機器の外形映像とアンテナ指向性との関係を表示するための情報を外形情報としたとき、
前記無線処理部は、
前記他の無線電子機器から前記外形情報を受信し、
前記外形情報に基づく前記他の無線電子機器の外形映像を前記表示部に表示することを特徴とする無線電子機器。
【請求項１６】
機器載置面に表示部が設けられた無線電子機器を含む２つの無線電子機器間でアンテナを整合させて無線処理をするシステムで適用可能な無線電子機器であって、
所定の指向性を有したアンテナと、
前記表示部が設けられた無線電子機器に対するアンテナ整合時の位置座標系における自機の外形映像と前記アンテナの指向性との関係を表示するための外形情報を記憶する記憶部と、
前記記憶部から読み出した外形情報に基づいて無線通信処理をする無線処理部とを備え、
前記無線処理部は、
アンテナ整合時、
前記表示部が設けられた無線電子機器へ前記外形情報を送信することを特徴とする無線電子機器。
【請求項１７】
２つの無線電子機器間でアンテナを整合させて無線処理をするシステムで適用可能な無線電子機器であって、
所定の指向性を有するアンテナと、
前記アンテナを整合させる機器載置面に設けられた表示部と、
前記表示部に載置された他の無線電子機器との間で無線通信処理をする無線処理部と、  他の前記無線電子機器に対するアンテナ整合時の位置座標系における自機の外形映像と前記アンテナの指向性との関係を表示するための情報を外形情報とし、前記外形情報を読み出す情報を識別情報としたとき、前記外形情報を記憶する記憶部とを備え、
前記無線処理部は、
前記他の無線電子機器から前記識別情報を受信し、
前記識別情報に基づく前記他の無線電子機器の外形情報を前記記憶部から読み出し、
前記外形情報に基づいて前記他の無線電子機器の外形映像を前記表示部に表示することを特徴とする無線電子機器。
【請求項１８】
機器載置面に表示部が設けられた無線電子機器を含む２つの無線電子機器間でアンテナを整合させて無線処理をするシステムに適用可能な無線電子機器であって、
所定の指向性を有したアンテナと、
前記表示部が設けられた無線電子機器に対するアンテナ整合時の位置座標系における自機の外形映像と前記アンテナの指向性との関係を表示するための外形情報を読み出すための識別情報を記憶する記憶部と、
前記記憶部から読み出した識別情報に基づいて無線通信処理をする無線処理部とを備え、
前記無線処理部は、
アンテナ整合時、
前記表示部が設けられた無線電子機器へ前記識別情報を送信することを特徴とする無線
電子機器。
【発明の詳細な説明】
【技術分野】
【０００１】
本発明は、所望の電力を充電する非接触型の電源供給システムや、映像及び音情報を通信処理する非接触型のデータ通信システム、携帯端末装置等に適用して好適な無線処理システム、無線処理方法及び無線電子機器に関する。
【０００２】
詳しくは、所定指向性のアンテナを有し、かつ、機器載置面に表示部を有して無線通信処理をする第１の無線電子機器を備え、当該無線電子機器に対するアンテナ整合時の位置座標系における載置機器（第２の無線電子機器）の外形映像とアンテナ指向性との関係を表示するための外形情報を第２の無線電子機器から受信し、この外形情報に基づいて表示部に第２の無線電子機器の外形映像を表示して、表示部に表示された外形映像に沿って第２の無線電子機器を載置したとき、第１の無線電子機器のアンテナ指向性と、第２の無線電子機器のアンテナ指向性とをアンテナ容姿の目視確認による位置合わせに依存することなく、自己整合的かつ自動的に２つのアンテナを整合できるようにすると共に、２つのアンテナが最適に整合された状態で、第１の無線電子機器から第２の無線電子機器へ所定の電力を供給したり、又は／及び第１の無線電子機器と第２の無線電子機器との間で所望の通信処理を実行できるようにしたものである。
【背景技術】
【０００３】
近年、携帯電話機や、ＰＤＡ（Personal Digital Assistants）、ポータブルオーディオ、あるいは電動歯ブラシ、電気シェーバー等の充電式の端末装置（携帯型の電子機器や電気機器等）が使用される場合が多くなってきた。これらの端末装置内には、充電可能な二次電池が実装され、その端子電圧が規定値を下回った場合に、当該二次電池を充電するようになされる。二次電池の充電方式には、接触型及び非接触型が採用されている。
【０００４】
接触型の充電方式では、充電器に設けられた充電用の端子に、上述の端末装置に設けられた電源供給用の端子が接触又は専用のプラグが装着された状態で充電がなされる（特許文献１参照）。非接触型の充電方式では、例えば電磁誘導による誘導起電力によって、電源供給装置から端末装置に対して、給電あるいは充電がなされる。電源供給装置は、これら端末装置に対応した充電器である。後者の充電システムによれば、端末装置に対して電源ケーブルを接続することなく、本体を充電器上に置く、あるいは載せるなどの簡単なユーザ行為で、給電、充電を行うことができるという利点がある。また、電源用のコネクタがなく、防水性、安全性に優れているという利点がある（特許文献２参照）。
【０００５】
図２２は従来例に係る非接触型の充電システム８００の内部構成例を示す図である。図２２に示す充電システム８００によれば、電源供給装置１０及び端末装置２０を備え、電源供給装置１０は、送電機能部１１を有している。送電機能部１１はＡＣプラグ３に接続された電源コード８を有している。電源コード８にはＡＣ−ＤＣコンバータ１１１が接続され、例えば、１００Ｖ、５０又は６０Ｈｚの交流電源を直流電源に変換するように動作する。ＡＣ−ＤＣコンバータ１１１には、高周波インバータ１１２が接続され、直流電源から１００ｋＨｚ程度の高周波の交流電源を生成するように動作する。高周波インバータ１１２には１次コイル１１３が接続され、１００ｋＨｚ程度の高周波の電圧（電力）が印加される。
【０００６】
一方、端末装置２０は、受電機能部２１、回路２２及び充電池２３を有している。受電機能部２１は、２次コイル２１１、ＡＣ−ＤＣコンバータ２１２、整流回路２１３を有して構成される。２次コイル２１１には、１次コイル１１３で発生される１００ｋＨｚ程度の高周波による交番磁界が鎖交さる。２次コイル２１１にはＡＣ−ＤＣコンバータ２１２が接続され、２次コイル２１１に誘導された高周波による交流電源が直流電源に変換される。ＡＣ−ＤＣコンバータ２１２には整流回路２１３が接続され、直流電源が整流されて平滑される。
【０００７】
非接触型の充電システム８００によれば、１次コイル１１３に高周波電力が与えられた場合に、１次コイル１１３に流れる電流によって２次コイル２１１に磁場が発生する。このとき、電流の変化により磁場も変化する。その結果、２次コイル２１１に電圧が発生する（電磁誘導）。
【０００８】
ここに２次コイル２１１へ誘導される電圧値は、１次コイル１１３と２次コイル２１１の巻き数比によって変化させることができる。１次コイル１１３の巻き数をｎ１、２次コイル２１１の巻き数をｎ２、１次コイル１１２に与える電圧をＶ１、２次コイル２１１に発生する電圧をＶ２とすると、電圧Ｖ２は（１）式で与えられる。
【０００９】
｜Ｖ２｜  ＝  ｎ１／ｎ２  ｜Ｖ１｜・・・・・・（１）
【００１０】
例えば、１次コイル１１３に与える高周波電力の電圧を１００Ｖとして、２次コイル側で５Ｖの高周波電圧を得る際には、２次コイルの巻数は、１次コイルの巻数の１／２０となる。なお、発生した交流電圧はＡＣ−ＤＣコンバータ２１２によって直流電圧に変換され、また整流回路２１３によって整流される。この結果として、図示しない信号処理部や負荷等の回路２２、および充電池２３に対して電源供給及び充電処理が行われることになる。なお、電源供給装置１から、端末装置２へ与えられる高周波電力に関して、端末装置２で直流電圧を効率良く発生させるためには、１次コイル１１３と２次コイル２１１とを近接させ、また、双方のコイルの中心が、一致するように配置される。
【００１１】
また、非接触型の無線電子機器に関連して、近距離無線機能を利用したデータ通信システムによれば、端末装置をデータ通信装置の上に置く、又は、当該端末装置を載せるという操作で、非接触にデータ通信処理が行われる。この際の端末装置としては、例えば、携帯電話機やデジタルカメラ等が使用され、データ通信装置（アプリケーション機器）では、これら無線電子機器との間で静止画や、動画、音楽等のデータをやり取りするようになされる。他にも、非接触型のデータ通信システムとして、無線ＬＡＮ、ミリ波、ＵＷＢなどのＲＦを利用した方式が従来技術として知られている。
【００１２】
例えば、近距離無線システムに関連して、特許文献３には無線通信装置並びに無線通信システムが開示されている。この無線通信装置によれば、データ通信装置及び端末装置を備え、当該データ通信装置と端末装置との間で反射波を利用して非接触通信方式により、データを通信するようになされる。このように装置を構成すると、有線方式により端末装置とデータ通信装置とを接続する場合に比べて、データ通信装置に対する端末装置の配置の自由度が高くなり、簡便性、利便性が高くなり、コネクタも不要となるので、防水性、安全性に優れるというものである。
【００１３】
【特許文献１】実用新案登録第３１２５３４１号公報（第３頁  図１）
【特許文献２】特開２００６−２０３９９７号公報（第６頁  図４）
【特許文献３】特開２００５−６４８２２号公報（第１４頁  図３）
【発明の開示】
【発明が解決しようとする課題】
【００１４】
ところで、従来例に係る無線処理システムに関して、次のような問題がある。
【００１５】
ｉ．特許文献１や２等に見られるような非接触型の充電システムによれば、特定の端末装置と、その端末装置専用の電源供給装置が組み合わされて提供されている。従って、当該電源供給装置が特定の端末装置に対してのみ使用できないということで、充電器がユーザの家庭内で多数散乱する事態、及び、電源供給装置（充電器）を紛失した場合には、他機器の充電器を流用できず、経済的、資源的にも無駄を生ずるおそれが予想される。
【００１６】
ii．上述のような問題に対して、各種端末装置で汎用型の電源供給装置を共用する方法が考えられるが、高効率に非接触に電源供給を行うためには、電源供給装置と端末装置ととの無線処理ポイントを非常に厳密に整合しなければならない。因みに、電源供給装置の１次コイルと端末装置の２次コイルとの位置関係が、端末装置の機種ごとに異なっている場合が多いので、良好な電源供給処理を行うための位置合わせが大変困難となるおそれが予想される。
【００１７】
iii．特許文献３に見られるような近距離無線機能を利用したデータ通信システムによれば、ミリ波を用いた無線通信方式では、アンテナ指向性が限定され、データ通信装置に対する端末装置の配置の自由度が小さくなるおそれがある。また、無線ＬＡＮなど一般にアンテナ指向性が広いと言われる無線通信方式を使用した場合でも、端末装置の置き方によってはデータ通信状況が劣化する場合が考えられる。このように、データ通信装置に対する端末装置の配置状態によっては、当該データ通信装置との間で良好な通信が実行できていないことが懸念される。
【００１８】
そこで、この発明はこのような従来の課題を解決したものであって、２つの無線電子機器の最適な無線処理ポイントを整合できるようにすると共に、一方の無線電子機器から他方の無線電子機器へ所定の電力を供給したり、２つの無線電子機器間で所望の通信処理を実行できるようにした無線処理システム、無線処理方法及び無線電子機器を提供することを目的とする。
【課題を解決するための手段】
【００１９】
上述した課題は、２つの無線電子機器間でアンテナを整合させて無線処理をするシステムであって、所定指向性のアンテナを有し、かつ、機器載置面に表示部を有して無線通信処理をする第１の無線電子機器と、所定指向性のアンテナを有し、かつ、当該アンテナを第１の無線電子機器のアンテナに整合させるためのアンテナ整合用の端末情報を有して無線通信処理をする第２の無線電子機器とを備え、第１の無線電子機器は、第２の無線電子機器から端末情報を受信し、端末情報に基づいて表示部に第２の無線電子機器の外形映像を表示することを特徴とする無線処理システムによって解決される。
【００２０】
本発明に係る第１の無線処理システムによれば、２つの無線電子機器間でアンテナを整合させて無線処理をする場合に、第１の無線電子機器は、所定指向性のアンテナを有しており、機器載置面に表示部を有して無線通信処理をする。第２の無線電子機器は、所定指向性のアンテナを有しており、当該アンテナを第１の無線電子機器のアンテナに整合させるためのアンテナ整合用の端末情報を有して無線通信処理をする。例えば、端末情報は、第２の無線電子機器に備えられ、第１の無線電子機器に対するアンテナ整合時の位置座標系における自機の外形映像とアンテナ指向性との関係を表示するための外形情報である。これを前提にして、第１の無線電子機器は、第２の無線電子機器から端末情報（外形情報）を受信し、この端末情報に基づいて表示部に第２の無線電子機器の外形映像を表示するようになる。
【００２１】
従って、アンテナ整合時、第１の無線電子機器の表示部に表示された外形映像に沿って第２の無線電子機器を載置すると、第１の無線電子機器のアンテナ指向性と、第２の無線電子機器のアンテナ指向性とをアンテナ容姿を目視確認して位置合わせすることなく、自己整合的かつ自動的に２つのアンテナを整合できるようになる。
【００２２】
本発明に係る無線処理方法は、所定指向性のアンテナを有し、かつ、機器載置面に表示部を有して無線通信処理をする第１の無線電子機器と、所定指向性のアンテナを有し、かつ、当該アンテナを第１の無線電子機器のアンテナに整合させるためのアンテナ整合用の端末情報を有して無線通信処理をする第２の無線電子機器との間の２つのアンテナを整合させる方法であって、アンテナ整合時、第２の無線電子機器は、第１の無線電子機器へ端末情報を送信し、第１の無線電子機器は、第２の無線電子機器から端末情報を受信し、端末情報に基づいて表示部に第２の無線電子機器の外形映像を表示することを特徴とするものである。
【００２３】
本発明に係る無線処理方法によれば、２つの無線電子機器間でアンテナを整合させて無線処理をする場合に、第１の無線電子機器の表示部に表示された外形映像に沿って第２の無線電子機器を載置すると、第１の無線電子機器のアンテナ指向性と、第２の無線電子機器のアンテナ指向性とをアンテナ容姿を目視確認して位置合わせすることなく、自己整合的かつ自動的に２つのアンテナを整合できるようになる。これにより、２つのアンテナが最適に整合された状態で、第１の無線電子機器から第２の無線電子機器へ所定の電力を供給したり、第１の無線電子機器と第２の無線電子機器との間で所望の通信処理を実行できるようになる。
【００２４】
本発明に係る第１の無線電子機器は、２つの無線電子機器間でアンテナを整合させて無線処理をするシステムで適用可能な無線電子機器であって、所定の指向性を有するアンテナと、アンテナを整合させる機器載置面に設けられた表示部と、この表示部に載置された他の無線電子機器との間で無線通信処理をする無線処理部とを備え、当該無線電子機器に対するアンテナ整合時の位置座標系における他の無線電子機器の外形映像とアンテナ指向性との関係を表示するための情報を外形情報としたとき、無線処理部は、他の無線電子機器から外形情報を受信し、外形情報に基づく他の無線電子機器の外形映像を表示部に表示することを特徴とするものである。
【００２５】
本発明に係る第１の無線電子機器によれば、２つの無線電子機器間でアンテナを整合させて無線処理をする場合に、無線処理部は、所定の指向性のアンテナを有し、このアンテナを整合させる機器載置面に設けられた表示部に載置される他の無線電子機器との間で無線通信処理をする。これを前提にして、無線処理部は、当該無線電子機器に対するアンテナ整合時の位置座標系における他の無線電子機器の外形映像とアンテナ指向性との関係を表示する外形情報を他の無線電子機器から受信し、この外形情報に基づく他の無線電子機器の外形映像を表示部に表示するようになる。
【００２６】
従って、表示部に表示された外形映像に沿って他の無線電子機器を載置すると、第１の無線電子機器のアンテナ指向性と、他の無線電子機器のアンテナ指向性とをアンテナ容姿を目視確認して位置合わせすることなく、自己整合的かつ自動的に２つのアンテナを整合できるようになる。
【００２７】
本発明に係る第２の無線電子機器は、機器載置面に表示部が設けられた無線電子機器を含む２つの無線電子機器間でアンテナを整合させるシステムで適用可能な無線電子機器であって、所定の指向性を有したアンテナと、表示部が設けられた無線電子機器に対するアンテナ整合時の位置座標系における自機の外形映像とアンテナの指向性との関係を表示するための外形情報を記憶する記憶部と、この記憶部から読み出した外形情報に基づいて無線通信処理をする無線処理部とを備え、無線処理部は、アンテナ整合時、表示部が設けられた無線電子機器へ外形情報を送信することを特徴とするものである。
【００２８】
本発明に係る第２の無線電子機器によれば、２つの無線電子機器間でアンテナを整合させて無線処理をする場合に、無線処理部は、所定の指向性のアンテナを有し、他の無線電子機器に対するアンテナ整合時の位置座標系における自機の外形映像とアンテナの指向性との関係を表示する外形情報を記憶部から読み出して無線通信処理をする。これを前提にして、無線処理部は、アンテナ整合時、機器載置面に表示部が設けられた無線電子機器へ外形情報を送信するようになされる。
【００２９】
従って、機器載置面が設けられた無線電子機器の表示部に表示された外形映像に沿って当該第２の無線電子機器を載置すると、機器載置面が設けられた無線電子機器のアンテナ指向性と、当該第２の無線電子機器のアンテナ指向性とをアンテナ容姿を目視確認して位置合わせすることなく、自己整合的かつ自動的に２つのアンテナを整合できるようになる。
【００３０】
本発明に係る第３の無線電子機器は、２つの無線電子機器間でアンテナを整合させて無線処理をするシステムで適用可能な無線電子機器であって、所定の指向性を有するアンテナと、このアンテナを整合させる機器載置面に設けられた表示部と、この表示部に載置された他の無線電子機器との間で無線通信処理をする無線処理部と、他の無線電子機器に対するアンテナ整合時の位置座標系における自機の外形映像とアンテナの指向性との関係を表示するための情報を外形情報とし、外形情報を読み出す情報を識別情報としたとき、外形情報を記憶する記憶部とを備え、無線処理部は、他の無線電子機器から識別情報を受信し、識別情報に基づく他の無線電子機器の外形情報を記憶部から読み出し、外形情報に基づいて他の無線電子機器の外形映像を表示部に表示することを特徴とするものである。
【００３１】
本発明に係る第３の無線電子機器によれば、２つの無線電子機器間でアンテナを整合させて無線処理をする場合に、無線処理部は、所定の指向性のアンテナを有し、このアンテナを整合させる機器載置面に設けられた表示部に載置される他の無線電子機器との間で無線通信処理をする。これを前提にして、無線処理部は、アンテナ整合時、他の無線電子機器から識別情報を受信し、この識別情報に基づく他の無線電子機器の外形情報を読み出し、この外形情報に基づいて外形映像を表示部に表示するようになる。
【００３２】
従って、第３の無線電子機器の表示部に表示された外形映像に沿って他の無線電子機器を載置すると、当該無線電子機器のアンテナ指向性と、他の無線電子機器のアンテナ指向性とをアンテナ容姿を目視確認して位置合わせすることなく、自己整合的かつ自動的に２つのアンテナを整合できるようになる。
【００３３】
本発明に係る第４の無線電子機器は、機器載置面に表示部が設けられた無線電子機器を含む２つの無線電子機器間でアンテナを整合させて無線処理をするシステムに適用可能な無線電子機器であって、所定の指向性を有したアンテナと、表示部が設けられた無線電子機器に対するアンテナ整合時の位置座標系における自機の外形映像とアンテナの指向性との関係を表示するための外形情報を読み出すための識別情報を記憶する記憶部と、この記憶部から読み出した識別情報に基づいて無線通信処理をする無線処理部とを備え、無線処理部は、アンテナ整合時、機器載置面に表示部が設けられた無線電子機器へ識別情報を送信することを特徴とするものである。
【００３４】
本発明に係る第４の無線電子機器によれば、２つの無線電子機器間でアンテナを整合させる場合に、無線処理部は、所定の指向性のアンテナを有し、機器載置面に表示部が設けられた無線電子機器に対するアンテナ整合時の位置座標系における自機の外形映像とアンテナの指向性との関係を表示する情報を外形情報としたとき、この外形情報を読み出すための認識情報を記憶部から読み出して無線通信処理をする。これを前提にして、無線処理部は、アンテナ整合時、機器載置面に表示部を設けられた無線電子機器へ認識情報を送信するようになされる。
【００３５】
従って、機器載置面が設けられた無線電子機器では、識別情報に基づく外形情報が読み出され、この外形情報に基づく外形映像が表示部に表示され、この外形映像に沿って当該第４の無線電子機器を載置すると、機器載置面が設けられた無線電子機器のアンテナ指向性と、当該第２の無線電子機器のアンテナ指向性とをアンテナ容姿を目視確認して位置合わせすることなく、自己整合的かつ自動的に２つのアンテナを整合できるようになる。
【発明の効果】
【００３６】
本発明に係る第１の無線処理システム及び無線処理方法によれば、所定指向性のアンテナを有し、かつ、機器載置面に表示部を有して無線通信処理をする第１の無線電子機器を備え、第１の無線電子機器は、当該無線電子機器に対するアンテナ整合時の位置座標系における載置機器の外形映像とアンテナ指向性との関係を表示するための端末情報（外形情報）を第２の無線電子機器から受信し、この端末情報に基づいて表示部に第２の無線電子機器の外形映像を表示するようにしたものである。
【００３７】
この構成によって、表示部に表示された外形映像に沿って第２の無線電子機器を載置すると、第１の無線電子機器のアンテナ指向性と、第２の無線電子機器のアンテナ指向性とをアンテナ容姿を目視確認して位置合わせすることなく、自己整合的かつ自動的に２つのアンテナを整合できるようになる。これにより、２つのアンテナが最適に整合された状態で、第１の無線電子機器から第２の無線電子機器へ所定の電力を供給したり、第１の無線電子機器と第２の無線電子機器との間で所望の通信処理を実行できるようになる。
【００３８】
本発明に係る第１の無線電子機器によれば、アンテナを整合させる機器載置面に設けられた表示部に載置された他の無線電子機器との間で無線通信処理をする無線処理部を備え、この無線処理部は、他の無線電子機器から外形情報を受信し、この外形情報に基づく他の無線電子機器の外形映像を表示部に表示するものである。
【００３９】
この構成によって、表示部に表示された外形映像に沿って他の無線電子機器を載置すると、第１の無線電子機器のアンテナ指向性と、他の無線電子機器のアンテナ指向性とをアンテナ容姿を目視確認して位置合わせすることなく、自己整合的かつ自動的に２つのアンテナを整合できるようになる。これにより、２つのアンテナが最適に整合された状態で、第１の無線電子機器から他の無線電子機器へ所定の電力を供給したり、第１の無線電子機器と他の無線電子機器との間で所望の通信処理を実行できるようになる。
【００４０】
本発明に係る第２の無線電子機器によれば、アンテナ整合時、位置座標系における自機の外形映像とアンテナの指向性との関係を表示するための外形情報に基づいて無線通信処理をする無線処理部を備え、この無線処理部は、機器載置面に表示部が設けられた無線電子機器へ外形情報を送信するものである。
【００４１】
この構成によって、機器載置面が設けられた無線電子機器の表示部に表示された外形映像に沿って当該第２の無線電子機器を載置すると、機器載置面が設けられた無線電子機器のアンテナ指向性と、当該第２の無線電子機器のアンテナ指向性とをアンテナ容姿を目視確認して位置合わせすることなく、自己整合的かつ自動的に２つのアンテナを整合できるようになる。これにより、２つのアンテナが最適に整合された状態で、機器載置面が設けられた無線電子機器から当該第２の無線電子機器へ所定の電力を供給したり、機器載置面が設けられた無線電子機器と当該第２の無線電子機器との間で所望の通信処理を実行できるようになる。
【００４２】
本発明に係る第３の無線電子機器によれば、機器載置面に設けられた表示部に載置された他の無線電子機器との間で無線通信処理をする無線処理部を備え、この無線処理部は、他の無線電子機器から識別情報を受信し、この識別情報に基づく他の無線電子機器の外形情報を読み出し、この外形情報に基づいて外形映像を表示部に表示するものである。
【００４３】
この構成によって、第３の無線電子機器の表示部に表示された外形映像に沿って他の無線電子機器を載置すると、当該無線電子機器のアンテナ指向性と、他の無線電子機器のアンテナ指向性とをアンテナ容姿を目視確認して位置合わせすることなく、自己整合的かつ自動的に２つのアンテナを整合できるようになる。これにより、２つのアンテナが最適に整合された状態で、第３の無線電子機器から他の無線電子機器へ所定の電力を供給したり、第３の無線電子機器と他の無線電子機器との間で所望の通信処理を実行できるようになる。
【００４４】
本発明に係る第４の無線電子機器によれば、機器載置面に表示部が設けられた無線電子機器に対するアンテナ整合時の位置座標系における自機の外形映像とアンテナの指向性との関係を表示するための外形情報に基づいて無線通信処理をする無線処理部を備え、この無線処理部は、アンテナ整合時、機器載置面に表示部が設けられた無線電子機器へ識別情報を送信するものである。
【００４５】
この構成によって、機器載置面が設けられた無線電子機器では、識別情報に基づく外形情報が読み出され、この外形情報に基づく外形映像が表示部に表示され、この外形映像に沿って当該第４の無線電子機器を載置すると、機器載置面が設けられた無線電子機器のアンテナ指向性と、当該第２の無線電子機器のアンテナ指向性とをアンテナ容姿を目視確認して位置合わせすることなく、自己整合的かつ自動的に２つのアンテナを整合できるようになる。これにより、２つのアンテナが最適に整合された状態で、機器載置面が設けられた無線電子機器から当該第２の無線電子機器へ所定の電力を供給したり、機器載置面が設けられた無線電子機器と当該第４の無線電子機器との間で所望の通信処理を実行できるようになる。
【発明を実施するための最良の形態】
【００４６】
続いて、この発明に係る無線処理システム、無線処理方法及び無線電子機器の一実施例について、図面を参照しながら説明をする。
【実施例１】
【００４７】
図１は、本発明に係る第１の実施例としての無線方式の電源供給システム１００の構成例を示す図である。
【００４８】
図１に示す電源供給システム１００は無線処理システムの機能を構成し、近距離無線通信機能付きの電源供給装置１や、同機能付きの端末装置２等の２つの無線電子機器間でアンテナを整合させ、無線方式（非接触）により充電処理をするシステムである。電源供給装置１は、第１の無線電子機器の機能を構成し、所定形状の筐体及び、当該筐体内に所定指向性のアンテナを兼用する１次コイル（以下アンテナコイル１１３という）を有して無線通信処理をする。筐体上面には表示機能部１２が設けられる。この例で表示機能部１２の上面が機器載置面を成している。
【００４９】
アンテナコイル１１３は、例えば、円形状を有しており、表示機能部１２の背部に固定されている。電源供給装置１には、携帯電話機２ａやポータブルオーディオプレーヤ（以下音楽プレーヤ２ｂという）等の端末装置２を機器載置面に置くことによって、充電を行うユニバーサルな近距離無線通信機能付きの非接触充電器が使用される。
【００５０】
端末装置２は、第２の無線電子機器の機能を構成し、所定指向性のアンテナを兼用する２次コイル（以下アンテナコイル２１１という）を有し、かつ、当該アンテナコイル２１１を電源供給装置１のアンテナコイル１１３に整合させるためのアンテナ整合用の端末情報Ｄ０を有して無線通信処理をするものである。アンテナコイル２１１も円形状を成し、携帯電話機２ａの筐体背面内部に配置される。端末装置２を成す携帯電話機２ａや音楽プレーヤ２ｂ等は、例えば、ブルートゥース（Blue tooth）等の２．４５ＧＨｚ帯の近距離無線通信機能を有しているものが使用される。
【００５１】
この例で、ユーザがこれらの端末装置２を電源供給装置１に近づけた際に、例えば、携帯電話機２ａの外形映像Ｐａが表面機能部１２上で浮かび上がるように表示される。このとき、外形映像Ｐａは、電源供給装置１のアンテナコイル１１３の円形中心座標と、携帯電話機２ａのアンテナコイル２１１の円形中心座標とが合致し、高効率の電源供給が可能なレイアウトで表示機能部１２に表示される。
【００５２】
図２は、電源供給システム１００における電源供給装置１及び端末装置２の内部構成例を示すブロック図である。この例では、電源供給装置１の構成例及び端末装置２の構成例に分けて説明する。
【００５３】
［電源供給装置の構成例］
図２に示す電源供給装置１は、近距離無線通信機能及び無線方式により電源を充電（供給）する機能を有している。更に、電源供給装置１は、端末装置２から端末情報Ｄ０を受信し、この端末情報Ｄ０に基づいて携帯電話機２ａや音楽プレーヤ２ｂ等の外形映像Ｐａ，Ｐｂを表示する機能を有している。
【００５４】
電源供給装置１は、例えば、送電機能部１１、表示機能部１２、無線通信機能部１３、主要制御部１４及び結合容量１１４を有して構成される。電源供給機能部１１は、ＡＣ−ＤＣコンバータ１１１、高周波インバータ１１２及びアンテナコイル１１３を有して構成される。
【００５５】
アンテナコイル１１３については、そのインダクタンスが高周波インバータ１１２の発振周波数を与えるパラメータの一つとなっている。発振周波数は、高周波インバータ１１２の構成（コンダクタ）に基づいて決定される。
【００５６】
アンテナコイル１１３のインダクタンスは、線材の材質、太さ、あるいはアンテナコイル１１３の直径や巻数などのパラメータによって決定される。従って、アンテナコイル１１３の直径、巻数は、発振周波数、高周波インバータを構成するコンダクタおよびコイルを形成する線材の材質、太さによって決まることになる。これらの機能については、図２２に示した従来方式の送電機能部１１が使用できるので、その説明を省略する。
【００５７】
この例でアンテナコイル１１３には結合容量１１４を介して無線通信機能部１３が接続され、機器載置面上に近付けられ、そして、機器載置面上に載置された携帯電話機２ａや音楽プレーヤ２ｂ等の端末装置２との間で無線通信処理をする。例えば、無線通信機能部１３は、定期的にビーコンフレームＦ１を送出し、機器載置面上に近付けられた携帯電話機２ａから端末通知求フレームＦ２を受信して外形情報Ｄ１を受信する（図６参照）。無線通信機能部１３には、ブルートゥース等の２．４５ＧＨｚ帯の近距離無線通信機能が実装される。要は、携帯電話機２ａ等と無線通信処理を行うための機能を有した、例えば、ＲＦＩＤなどの近距離無線通信に適用されるデータ通信方式が実装されていればよい。
【００５８】
無線通信機能部１３には主要制御部１４が接続され、電源供給機能部１１、表示機能部１２及び無線通信機能部１３の入出力を集中制御する。例えば、主要制御部１４は、無線通信機能部１３が携帯電話機２ａから受信した外形情報Ｄ１及び座標情報Ｄ２を入力し、この外形情報Ｄ１及び座標情報Ｄ２を表示機能部１２に出力して、当該携帯電話機２ａの外形映像Ｐａを機器載置面で表示するように表示制御をする。主要制御部１４は、ＣＰＵ（中央処理装置）、ＲＯＭ（読出し専用メモリ）、ＲＡＭ（情報随時書込み読み出し可能なメモリ）等を使用して構成される。
【００５９】
主要制御部１４には表示機能部１２が接続され、携帯電話機２ａや音楽プレーヤ２ｂ等の端末装置２の外形映像Ｐａを機器載置面において表示する機能を有している。この例では、携帯電話機２ａ等が機器載置面上に載置される前に、表示機能部１２が外形情報Ｄ１を取得し、これに基づく携帯電話機２ａ等の外形映像Ｐａを表示する。すなわち、外形映像Ｐａは、機器載置面上に携帯電話機２ａや音楽プレーヤ２ｂ等が機器載置面上に載置される前に表示機能部１２に表示される。これはユーザに対して携帯電話機２ａや音楽プレーヤ２ｂ等の載置方法を明示するためである。表示機能部１２には、例えば、液晶表示装置、あるいは、プロジェクションによる表示が可能な表示デバイスが使用される。
【００６０】
このように電源供給装置１を構成すると、電源供給装置１と携帯電話機２ａとの間でアンテナコイル１１３、２１１を整合させて無線方式により充電処理をする場合に、無線処理部１３は、携帯電話機２ａから外形情報Ｄ１を受信する。表示機能部１２は、この外形情報Ｄ１に基づく携帯電話機２ａの外形映像Ｐａを表示するようになる。例えば、電源供給装置１の機器載置面の表示機能部１２には、電源供給ポイントを与える外形映像Ｐａと、データ通信ポイントを与える外形映像Ｐａとが共通して表示される。
【００６１】
従って、表示機能部１２に表示された外形映像Ｐａに沿って携帯電話機２ａを載置すると、電源供給装置１のアンテナコイル１１３の指向性と、携帯電話機２ａのアンテナコイル２１１の指向性とをアンテナ容姿を目視確認して位置合わせすることなく、自己整合的かつ自動的に２つのアンテナコイル１１３、２１１を整合できるようになる。
【００６２】
［端末装置の構成例］
上述の電源供給装置１によって、充電処理される端末装置２は、携帯電話機２ａや音楽プレーヤ２ｂ等の無線電子機器であり、当該電源供給システム１００で適用可能なものである。端末装置２は端末情報Ｄ０を有している。ここに端末情報Ｄ０とは、端末装置２で管理される情報をいう。端末情報Ｄ０には、外形情報Ｄ１や座標情報Ｄ２が含まれる。ここに外形情報Ｄ１とは、当該電源供給装置１の表示機能部１２に対するアンテナ整合時の位置座標系における当該携帯電話機２ａ（自機）の外形映像Ｐａとアンテナ指向性との関係を表示するための情報をいう。座標情報Ｄ２とは、当該電源供給装置１に対して最適な電源供給ポイントを与える情報をいう。
【００６３】
端末装置２は、例えば、図２に示すように受電機能部２１、回路２２、充電池２３、無線処理部２４、主要制御部２５、端末情報格納部２６及び結合容量２１４を備えて構成される。受電機能部２１は、アンテナコイル２１１、ＡＣ−ＤＣコンバータ２１２及び整流回路２１３を有して構成される。アンテナコイル２１１には所定の指向性を有したものが使用される。これらの機能については、図２２に示した従来方式の受電機能部２１が使用できるので、その説明を省略する。
【００６４】
整流回路２１３には充電池（バッテリー）２３が接続され、電源供給装置１から充電処理される直流電力が充電される。充電池２３には、回路２２、無線処理部２４、主要制御部２５及び端末情報格納部２６が接続され、当該充電池２３から、これらの回路部等へ駆動電圧を供給するようになされる。回路２２は、携帯電話機能や音楽再生機能を成すモジュールブロックである。
【００６５】
アンテナコイル２１１には、結合容量２１４を介して無線通信機能部２４が接続され、電源供給装置１と無線通信処理を行うようになされる。例えば、無線処理部２４は、アンテナ整合時、端末情報格納部２６から読み出された外形情報Ｄ１を電源供給装置１へ送信するようになされる。無線通信機能部２４には、無線通信機能部１３と同様な、２．４５ＧＨｚ帯の近距離無線通信機能や、ＲＦＩＤなどの近距離無線通信に適用されるデータ通信方式が実装される。
【００６６】
無線通信機能部２４には主要制御部２５が接続され、回路２２や、無線通信機能部２４、端末情報格納部２６の入出力を制御する。主要制御部２５は、電源供給装置１の主要制御部１４と同様にして、ＣＰＵ（中央処理装置）、ＲＯＭ（読出し専用メモリ）、ＲＡＭ（情報随時書込み読み出し可能なメモリ）等を使用して構成され、例えば、当該端末装置２の一部、あるいは、全体を制御するようになされる。
【００６７】
主要制御部２５には、記憶部の機能を構成する端末情報格納部２６が接続され、携帯電話機２ａや音楽プレーヤ２ｂ等の端末装置固有の端末情報Ｄ０を記憶する。端末情報Ｄ０は外形情報Ｄ１＋座標情報Ｄ２である。端末情報格納部２６には、例えば、所定の電源供給ポイントを与える座標情報Ｄ２と、所定のデータ通信ポイントを与える座標情報Ｄ２とを同一の値として格納される。なお、端末情報Ｄ０の他に電話番号情報や、ユーザ情報等も格納される。
【００６８】
端末情報格納部２６には、ＥＥＰＲＯＭ（電気的な情報書込み及び消去可能な読み出し専用メモリ）や、固定記憶ディスク装置（ハードディスク：ＨＤＤ）等の不揮発メモリが使用される。不揮発メモリはデータが随時書込可能であって、電源が切られても、データを保持するメモリである。外形情報Ｄ１や座標情報Ｄ２は、携帯電話機２ａ等の外形映像Ｐａを表示するために使用される。端末情報Ｄ０は、例えば、ビットマップ情報によって表現される。
【００６９】
このように端末装置２を構成すると、２つのアンテナコイル１１３、２１１を整合させて無線方式により充電処理をする場合に、無線処理部２４は、アンテナ整合時、電源供給装置１へ外形情報Ｄ１を送信するようになされる。
【００７０】
従って、電源供給装置１の表示機能部１２に表示された外形映像Ｐａに沿って携帯電話機２ａ等を載置すると、電源供給装置１のアンテナ指向性と、当該端末装置２のアンテナ指向性とをアンテナ容姿を目視確認して位置合わせすることなく、自己整合的かつ自動的に２つのアンテナコイル１１３、２１１を整合できるようになる。これにより、端末装置２に対して高効率により電源を供給できるようになり、従来方式の電源供給システム８００に比べてより高度な電源供給システム１００を構築できるようになる。
【００７１】
図３Ａ及びＢは表示機能部１２の表示領域例及び端末情報Ｄ０のイメージ例を示す図である。
【００７２】
図３Ａに示す電源供給装置１の表示機能部１２は表示領域Ｉを有している。表示領域Ｉは、横方向（行方向）の画素がＡ個であり、縦方向の画素（列方向）がＢ個であるマトリクス状を成している。表示機能部１２の機器載置面に位置座標系ＸＹを定義したとき、位置座標系ＸＹで示すと、表示領域Ｉは、行方向が座標（ｘ，ｙ）＝（０，０）〜（Ａ，０）であり、列方向が座標（ｘ，ｙ）＝（０，Ｂ）〜座標（Ａ，Ｂ）である。この例では、アンテナコイル１１３（１次コイル）の円形中心部の座標（ｘ，ｙ）＝（ａ，ｂ）が設定され、この座標（ａ，ｂ）を示す座標情報Ｄ２が電源供給装置１における電源供給ポイントを示す特定ビットとなっている。
【００７３】
図３Ｂに示す端末情報Ｄ０のイメージ例によれば、携帯電話機２ａ等の外形映像Ｐａをビットマップ領域IIａ上でデジタル表示するようになされる。ビットマップ領域IIａは、横方向（行方向）の画素がＭビットであり、縦方向の画素（列方向）がＮビットであるマトリクス状（Ｍ×Ｎビット）を成している。端末情報Ｄ０は、Ｍ×Ｎビットのビットマップ領域IIａにおいて表現される。ビットマップのディメンジョンは、電源供給装置１の表示デバイスのディメンジョンと同一である。
【００７４】
すなわち、表示機能部１２の機器載置面に定義された位置座標系ＸＹで示すと、ビットマップ領域IIａは、行方向が座標（ｘ，ｙ）＝（０，０）〜（Ｍ，０）であり、列方向が座標（ｘ，ｙ）＝（０，Ｎ）〜座標（Ｍ，Ｎ）である。この例では、アンテナコイル２１１（２次コイル）の円形中心部の座標（ｘ，ｙ）＝（ｍ，ｎ）が設定され、この座標（ｍ，ｎ）を示す座標情報Ｄ２が携帯電話機２ａにおける電源供給ポイントを示す特定ビットとなっている。
【００７５】
この例では、各ビットの（０，１）に対応して、外形映像Ｐａがビットマップ領域IIａに展開（表現）される。外形映像Ｐａは、携帯電話機２ａの外観形状、例えば、その投影形状を表示可能な影絵風に模したものである。このビットマップ領域IIａにおける携帯電話機２ａの外形映像Ｐａは、黒べた部分で論理値が例えば「０」であり、この外形映像Ｐａを囲む非外形部分は、白抜き□部分で論理値「１」で示している。これは、ビットマップ領域IIａ上で外形映像Ｐａをデジタル表示するようにしたためである。このように端末情報Ｄ０が外形情報Ｄ１や座標情報Ｄ２等のビットマップ情報によって表現される。
【００７６】
図４は、表示機能部１２における外形映像Ｐａの表示例を示す図である。図４に示す外形映像Ｐａの表示例によれば、表示機能部１２の機器載置面に定義された位置座標系ＸＹにおいて、主要制御部１４で座標（ｘ，ｙ）＝（ａ，ｂ）を示す座標情報Ｄ２と座標（ｘ，ｙ）＝（ｍ，ｎ）を示す座標情報Ｄ２とを合致させるように表示機能部１２を制御する。
【００７７】
この例では、表示領域Ｉの行方向の座標（ｘ，ｙ）＝（０，０）〜（Ａ，０）にビットマップ領域IIａの行方向の座標（ｘ，ｙ）＝（０，０）〜（Ｍ，０）が当て嵌められ、その列方向の座標（ｘ，ｙ）＝（０，０）〜（０，Ｂ）にビットマップ領域IIａの列方向の座標（ｘ，ｙ）＝（０，０）〜（０，Ｎ）が各々当て嵌められる。
【００７８】
これにより、電源供給装置１における電源供給ポイントの特定ビットとなっているアンテナコイル１１３（１次コイル）の円形中心（座標）部と、携帯電話機２ａにおける電源供給ポイントの特定ビットとなっているアンテナコイル２１１（２次コイル）の円形中心（座標）部とを一致させることができる。
【００７９】
図５は、電源供給システム１００における充電特性例を示すグラフ図である。
【００８０】
図５に示す充電特性例において、縦軸は携帯電話機２ａ等の充電池２３の電池電圧（Ｖ）、その充電電流（Ａ）及びその充電量（％）である。横軸は、充電時間（Ｈ）である。
【００８１】
充電条件としては、例えば、充電電流（Ｃ．Ｃ）が１０２０ｍＡであり、充電電圧（Ｃ．Ｖ）は、４．２Ｖである。充電電流は整流回路２１３から充電池２３へ供給される電流値であり、充電電圧は整流回路２１３が充電池２３へ印加する電圧値である。充電時間（Ｃ．Ｔ）は、２．５Ｈであり、環境温度は２０℃である。充電時間は、電源供給装置１におけるアンテナコイル１１３（１次コイル）から、携帯電話機２ａにおけるアンテナコイル２１１へ誘導されるＡＣ電力の供給時間である。
【００８２】
図５に示す実線は充電池２３の電池電圧特性αであり、波線はその充電電流特性βであり、一点鎖線はその充電量特性γである。この例では、充電開始時刻（ＡＣ電力供給開始時間）から充電時間が０．８Ｈが経過する時刻において、実線に示した電池電圧特性αのように電池電圧が回復し、充電容量が７５％程度に回復すると共に、波線に示した充電電流特性βのように充電電流が降下し始め、充電時間２．５Ｈに到達すると、一点鎖線に示した充電量特性γのように満充電（１００％）となる。
【００８３】
続いて、本発明に係る無線処理方法について、電源供給システム１００における充電処理例について説明する。
【００８４】
図６は、電源供給システム１００における充電処理例を示すシーケンスチャートである。このシーケンスチャートは、電源供給装置１と携帯電話機２ａと間の無線通信処理におけるフレームシーケンスを示すものである。
【００８５】
この例では、所定指向性のアンテナコイル１１３を有し、かつ、機器載置面に表示機能部１２を有して無線通信処理をする電源供給装置１と、所定指向性のアンテナコイル２１１を有し、かつ、当該アンテナコイル２１１をアンテナコイル１１３に整合させるためのアンテナ整合用の端末情報Ｄ０を有して無線通信処理をする端末装置２との間で無線方式により充電処理をする場合を前提とする。アンテナ整合時には、携帯電話機２ａが電源供給装置１へ端末情報Ｄ０を送信し、電源供給装置１が携帯電話機２ａから端末情報Ｄ０を受信し、端末情報Ｄ０に基づいて表示機能部１２に携帯電話機２ａの外形映像Ｐａを表示する場合を例に挙げる。
【００８６】
電源供給装置１は、ステップＳＴ１で定期的にビーコンフレームＦ１を送出する。そして、ユーザが携帯電話機２ａ等を電源供給装置１に近づけると、携帯電話機２ａは、ステップＳＴ２で送出されたビーコンフレームＦ１を受信する。このビーコンフレームＦ１に対応して、ステップＳＴ３で携帯電話機２ａは電源供給装置１へ端末通知フレームＦ２を送信する。
【００８７】
電源供給装置１は携帯電話機２ａからの端末通知フレームＦ２を受信し、ステップＳＴ４で携帯電話機２ａへ接続要求フレームＦ３を送信する。その後、携帯電話機２ａは接続要求フレームＦ３を受信し、ステップＳＴ５で電源供給装置１へ接続応答フレームＦ４を送信する。
【００８８】
電源供給装置１は携帯電話機２ａからの接続応答フレームＦ４を受信し、ステップＳＴ６で携帯電話機２ａへ端末情報要求フレームＦ５を送信する。その後、携帯電話機２ａは端末情報要求フレームＦ５を受信し、ステップＳＴ７で電源供給装置１へ端末情報応答フレームＦ５を送信する。このとき、携帯電話機２ａでは端末情報格納部２６から端末情報Ｄ０が読み出され、端末情報応答フレームＦ６に端末情報Ｄ０を記述（付加）して電源供給装置１に送信するようになされる。端末情報Ｄ０は外形情報Ｄ１＋座標情報Ｄ２である。
【００８９】
次に、電源供給装置１は、携帯電話機２ａからの端末情報応答フレームＦ５を受信し、ステップＳＴ８で表示機能部１２に当該携帯電話機２ａの外形映像Ｐａを表示する。この例では、電源供給装置１の表示機能部１２において、図３Ａで示した表示領域Ｉに、図３Ｂで示した携帯電話機２ａに関するビットマップ情報を当てはめられ、図４に示したような携帯電話機２ａの外形映像Ｐａが表示される。このとき、電源供給装置１は、携帯電話機２ａにおいて電源供給ポイントを与える座標情報Ｄ２を、自身の電源供給ポイントを与える座標情報Ｄ２と一致させて、外形映像Ｐａを表示する。
【００９０】
以上のフレームシーケンスは、全て自動的に行われ、携帯電話機２ａを電源供給装置１に近づけるというユーザ行為により、電源供給装置１では携帯電話機２ａの外形表示までが行われる。そして、当該携帯電話機２ａを取り扱うユーザは、電源供給装置１の表示機能部１２に表示された外形映像Ｐａに沿って当該携帯電話機２ａを載置するようになされる。その後、ステップＳＴ９で電源供給装置１から携帯電話機２ａへ無線方式により充電処理がなされる。
【００９１】
図７は、電源供給システム１００における音楽プレーヤ２ｂの充電処理例を示す概念図である。上述したような電源供給システム１００において、図７に示すような音楽プレーヤ２ｂが近づけられたときには、音楽プレーヤ２ｂの外形映像Ｐｂが表示機能部１２上で浮かび上がるように表示される。
【００９２】
音楽プレーヤ２ｂは、第２の無線電子機器の機能を構成し、所定指向性のアンテナを兼用する２次コイル（以下アンテナコイル２１１という）を有し、かつ、当該アンテナコイル２１１を電源供給装置１のアンテナコイル１１３に整合させるためのアンテナ整合用の端末情報Ｄ０を有して無線通信処理をするものである。アンテナコイル２１１は円形状を成し、音楽プレーヤ２ｂの筐体背面内部に配置される。音楽プレーヤ２ｂは、携帯電話機２ａと同様にして、例えば、ブルートゥース（Blue tooth）等の２．４５ＧＨｚ帯の近距離無線通信機能を有している。
【００９３】
この場合も、ビーコンフレーム受信の後、当該音楽プレーヤ２ｂと無線通信機能付きの電源供給装置１との間でアンテナコイル１１３及びアンテナコイル２１１を整合させて無線処理をする。例えば、図６に示したステップＳＴ１〜ステップＳＴ７を経て、ステップＳＴ８で電源供給装置１のアンテナ兼用の１次コイル１１３の円形中心座標と、音楽プレーヤ２ｂのアンテナコイル２１１の円形中心座標とを合致するようなレイアウトで音楽プレーヤ２ｂの外形映像Ｐｂが表示機能部１２に表示される。このとき、表示機能部１２は、音楽プレーヤ２ｂ（特定の端末装置２）に対して良好に電源供給処理を実行できる載置姿勢をガイドするが如く、その配置位置を機器載置面上で外形映像Ｐｂを表示するようになる。これにより、電源供給装置１で音楽プレーヤ２ｂを充電する場合も、高効率により電源供給処理を実行することができる。
【００９４】
このように、第１の実施例としての電源供給システム１００及び無線処理方法によれば、電源供給装置１と携帯電話機２ａや音楽プレーヤ２ｂ等の端末装置２との間でアンテナ兼用の１次コイル１１３と、アンテナ兼用のアンテナコイル２１１とを整合させて無線方式により携帯電話機２ａを充電する場合に、電源供給装置１は、予め携帯電話機２ａに関する端末情報Ｄ０を持つことなく、これらの携帯電話機２ａから端末情報Ｄ０（Ｄ１＋Ｄ２）を受信し、この端末情報Ｄ０に基づいて表示機能部１２に携帯電話機２ａの外形映像Ｐａを表示するようになる。
【００９５】
従って、電源供給装置１と携帯電話機２ａや音楽プレーヤ２ｂ等の端末装置２とを最適な無線処理ポイントで整合できるようになる。上述した例では、アンテナ整合時、電源供給装置１の表示機能部１２に表示された外形映像Ｐａに沿って携帯電話機２ａや音楽プレーヤ２ｂ等の端末装置２を載置すると、電源供給装置１のアンテナ指向性と、これらの端末装置２のアンテナ指向性とをアンテナ容姿を目視確認して位置合わせすることなく、自己整合的かつ自動的に２つのアンテナ兼用の１次コイル１１３及びアンテナ兼用のアンテナコイル２１１とを整合できるようになる。
【００９６】
これにより、電源供給システム１００によれば、携帯電話機２ａや音楽プレーヤ２ｂ等の端末装置２の形状に関わらず、２つのアンテナ兼用の１次コイル１１３及びアンテナ兼用のアンテナコイル２１１が最適に整合された状態で、電源供給装置１から携帯電話機２ａや音楽プレーヤ２ｂ等へ所定の電力を良好に充電（供給）できるようになる。従って、携帯電話機２ａや音楽プレーヤ２ｂ等の端末装置２を電源供給装置１の機器載置面に載置するというユーザの簡単な行為によって、充電（給電）処理が開始される電源供給システム１００を提供できるようになった。
【実施例２】
【００９７】
図８は、第２の実施例としての電源供給システム２００の内部構成例を示すブロック図である。
【００９８】
この例では、第１の実施例に係る電源供給システム１００に比べて、アンテナコイル兼用型ではなく、充電用の１・２次コイル１１３，２１１と通信用のアンテナ１５，２７とが分離したシステムである。アンテナ１５は、１次コイル１１３のコイル中心座標に対して所定の位置に設置され、アンテナ２７は、２次コイル２１１のコイル中心座標に対して所定の位置に設置されている。アンテナ１５や、アンテナ２７等には、例えば、平面アンテナが使用される。
【００９９】
図８に示す電源供給システム２００によれば、電源供給装置１０２を有している。電源供給装置１０２は、１次コイル１１３の他に通信用のアンテナ１５を有している。アンテナ１５は無線通信部１３に接続される。無線処理部１３は、アンテナ１５を相手方のアンテナ２７と整合させる機器載置面に設けられた表示機能部１２に載置された携帯電話機２ａや音楽プレーヤ２ｂ等の端末装置２’との間で無線通信処理をする。
【０１００】
一方、図８に示す端末装置２’は、２次コイル２１１の他に通信用のアンテナ２７を有している。アンテナ２７は無線通信部２４に接続される。無線処理部２４は、電源供給装置１０２に対するアンテナ整合時の位置座標系における自機の外形映像Ｐａとアンテナ２７の指向性との関係を表示する外形情報Ｄ１を端末情報格納部２６から読み出して無線通信処理をする。
【０１０１】
電源供給システム２００では、電源供給装置１０２から端末装置２’への無線通信時、アンテナ１５とアンテナ２７とを使用して最適に無線通信処理がなされる。この例でも、電源供給装置１０２は端末情報Ｄ０に基づいて機器載置面の表示機能部１２に携帯電話機２ａや音楽プレーヤ２ｂ等の端末装置２’の外形映像Ｐａを表示する。これ共に、ユーザは端末装置２’を機器載置面に載置する。このとき、電源供給装置１０２から端末装置２’への充電時には、第１の実施例で説明したように、１次コイル１１３と２次コイル２１１とを最適に位置合わせした状態に整合される。この状態で、例えば、電源供給装置１０２は、当該携帯電話機２ａに対して非接触に電源を供給したり、電源供給装置１０２とこれらの端末装置２’との間で所望の通信処理を実行する。
【０１０２】
図９は電源供給システム２００における充電通信例を示すシーケンスチャートである。図９に示す充電例によれば、図６に示したステップＳＴ１〜ステップＳＴ７のシーケンスを経て、ステップＳＴ８で携帯電話機２ａや音楽プレーヤ２ｂ等の端末装置２’の外形映像ＰａやＰｂを表示すると共に、ステップＳＴ９で充電を開始した以降、更にアンテナ１５及びアンテナ２７を利用して、ステップＳＴ１０からステップＳＴ２３に至り充電を終了するまでの充電通信シーケンス例を挙げている。
【０１０３】
この例では、携帯電話機２ａ等の端末装置２’の外形映像Ｐａの表示色を変えることにより、ユーザに充電経過を知らせたり、充電完了時に外形映像Ｐａの表示を消去する、あるいは、表示色を変えるたりする場合を挙げる。
【０１０４】
図９に示す電源供給システム２００では、上述の所定のシーケンスを経てステップＳＴ８で携帯電話機２ａ等の端末装置２’の外形映像Ｐａを表示し、ステップＳＴ９で充電（送電）を開始する。携帯電話機２ａはステップＳＴ１０で充電中となる。
【０１０５】
そして、携帯電話機２ａ等の端末装置２’における充電の経過は、ステップＳＴ１１で受電機能部２１において検知される。充電経過を検知する方法は、周知の技術が応用できる。この例では、端末装置２’における充電池２３に対して、図５に示したような充電特性が与えられており、充電池２３に対する電流、電圧を計測し、この特性と照会することにより充電量を検知するようになされる。
【０１０６】
この例では、携帯電話機２ａ等の端末装置２’はステップＳＴ１１やステップＳＴ１４等で定期的に充電量を検知し、ステップＳＴ１２、ステップＳＴ１５・・・ステップＳＴ１８等で充電量パラメータを充電経過通知フレームＦ７に付加して電源供給装置１０２に対して送信する。
【０１０７】
電源供給装置１０２は、受信した充電経過通知フレームＦ７から充電量パラメータを取得し、充電値に対応した色によってステップＳＴ１３やステップＳＴ１６等で携帯電話機２ａの外形映像Ｐａの表示を変更する。例えば、充電初期は赤色で、順次、充電時間が経過すると、黄色に変化し、その後の充電終了時には青色（緑色）に変わる。もちろん、これに限られることはない。
【０１０８】
また、ステップＳＴ１７で充電量パラメータが満充電を与える場合には、ステップＳＴ１８で充電終了を付加した充電経過通知フレームＦ７が送信され、ステップＳＴ１９で充電終了を示す充電経過通知フレームＦ７を受信した電源供給装置１０２は、携帯電話機２ａでの充電が終了したとみなして送電を停止し、ステップＳＴ２０で外形映像Ｐａの表示を消去する。なお、ステップＳＴ１３，ステップＳＴ１６及びステップＳＴ２０において、表示機能部１２で充電経過に対応して、表示色のグラデーションを濃色から淡色に変化させ、満充電に対して最終的に表示が消えるような表示をしてもよい。
【０１０９】
その後は、充電終了処理として、ステップＳＴ２１で電源供給装置１０２は携帯電話機２ａに切断要求フレームＦ８を送信する。切断要求フレームＦ８を受信した携帯電話機２ａは、ステップＳＴ２２で切断応答フレームＦ９を電源供給装置１０２へ送信する。電源供給装置１０２では、ステップＳＴ２３で無線通信処理を終了すると共に、充電シーケンスを終了する。
【０１１０】
このように第２の実施例としての電源供給システム２００及び無線処理方法によれば、充電用の１・２次コイル１１３，２１１と通信用のアンテナ１５，２７とが分離されたシステムにおいても、第１の実施例と同様にして、端末装置２’から電源供給装置１０２に対して、固有の端末情報Ｄ０を通信することで、電源供給装置１０２が携帯電話機２ａや音楽プレーヤ２ｂ等の端末装置２’に対応した外形映像ＰａやＰｂ等の表示を実行するようになる。
【０１１１】
従って、２つの１次コイル１１３と２次コイル２１１が最適に整合された状態で、電源供給装置１０２から携帯電話機２ａや音楽プレーヤ２ｂ等の端末装置２’へ所定の電力を供給したり、図９に示したように電源供給装置１０２と、これらの端末装置２’との間で所望の通信処理を実行できるようになった。
【０１１２】
しかも、携帯電話機２ａ等の端末装置２’の外形映像Ｐａの表示色を充電状態に応じて変えたり、その外形映像Ｐａの表示を消去したりするので、ユーザに対して、充電経過状態を知らせたり、充電完了状態を容易かつ簡易に提示できるようになる。
【実施例３】
【０１１３】
図１０は、第３の実施例としての電源供給システム３００の内部構成例を示すブロック図である。
【０１１４】
この実施例では、電源供給装置１０３が予め携帯電話機２ａや、音楽プレーヤ２ｂ等の端末装置２に関する端末情報Ｄ０を有しており、電源供給装置１０３が携帯電話機２ａからの識別情報Ｄ３（固有の端末情報Ｄ０）を無線通信機能部１３で受信し、この携帯電話機２ａから受信した識別情報Ｄ３に基づいて当該携帯電話機２ａに対応した外形映像Ｐａを表示するようになされる（第２の無線処理システム）。
【０１１５】
図１０に示す電源供給システム３００によれば、第３の無線電子機器の機能を構成する電源供給装置１０３が機種別情報格納部１６を有している。機種別情報格納部１６は記憶部の機能を構成し、主要制御部１４に接続されて識別情報Ｄ３に対応した携帯電話機２ａや音楽プレーヤ２ｂ等の端末装置２の外形情報Ｄ１及び座標情報Ｄ２を記憶するものである。識別情報Ｄ３は固有の端末情報Ｄ０の一例を構成し、携帯電話機２ａや音楽プレーヤ２ｂ等の種別を識別する情報である。
【０１１６】
当該電源供給装置１０３は、携帯電話機２ａから識別情報Ｄ３を取得し、この識別情報Ｄ３に基づいて機種別情報格納部１６から携帯電話機２ａの外形情報Ｄ１及び座標情報Ｄ２を読み出し、当該携帯電話機２ａの外形映像Ｐａを機器載置面の表示機能部１２に表示するようになされる。
【０１１７】
この表示がなされる結果、第３の実施例でも、第１及び第２の実施例と同様にして、ユーザが携帯電話機２ａを電源供給装置１０３に近づけるという行為によって、電源供給装置１０３は、自動的に携帯電話機２ａの外形映像Ｐａを表示することができ、ユーザは、簡単な行為により、様々な携帯電話機２ａ等の端末装置２に対して電源効率の高い非接触の充電（給電）処理を行うことができる。なお、図１０において、図２に示した第１の実施例の電源供給システム１００と同じ符号のものは、同じ機能を有するので、その説明を省略する。
【０１１８】
続いて、電源供給システム３００における充電処理例について説明する。図１１は、電源供給システム３００における充電処理例を示すシーケンスチャートである。このシーケンスチャートは、電源供給装置１０３と携帯電話機２ａ等の端末装置２と間の無線通信処理におけるフレームシーケンスを示すものである。
【０１１９】
この例では、機種別情報格納部１６を有し、所定指向性のアンテナコイル１１３を有し、かつ、機器載置面に表示機能部１２を有して無線通信処理をする電源供給装置１０３と、所定指向性のアンテナコイル２１１を有し、かつ、当該アンテナコイル２１１をアンテナコイル１１３に整合させるためのアンテナ整合用の端末情報Ｄ０を有し、識別情報Ｄ３に基づいて無線通信処理をする端末装置２との間で無線方式により充電処理をする場合を前提とする。アンテナ整合時には、携帯電話機２ａが電源供給装置１０３へ端末情報Ｄ０識別情報Ｄ３を送信し、電源供給装置１０３が携帯電話機２ａから端末情報Ｄ０＝Ｄ３を受信し、識別情報Ｄ３に基づいて表示機能部１２に携帯電話機２ａの外形映像Ｐａを表示する場合を例に挙げる。
【０１２０】
電源供給装置１０３は、図１１に示すステップＳＴ３１で第１の実施例と同様にして、定期的にビーコンフレームＦ１を送出する。そして、ユーザが携帯電話機２ａ等を電源供給装置１０３に近づけると、携帯電話機２ａは、ステップＳＴ３２で送出されたビーコンフレームＦ１を受信する。このビーコンフレームＦ１に対応して、ステップＳＴ３３で携帯電話機２ａは電源供給装置１０３へ端末通知フレームＦ２を送信する。
【０１２１】
電源供給装置１０３は携帯電話機２ａからの端末通知フレームＦ２を受信し、ステップＳＴ３４で携帯電話機２ａへ接続要求フレームＦ３を送信する。その後、携帯電話機２ａは接続要求フレームＦ３を受信し、ステップＳＴ３５で電源供給装置１０３へ接続応答フレームＦ４を送信する。
【０１２２】
電源供給装置１０３は携帯電話機２ａからの接続応答フレームＦ４を受信し、ステップＳＴ３６で携帯電話機２ａへ端末情報要求フレームＦ５を送信する。その後、携帯電話機２ａは端末情報要求フレームＦ５を受信し、ステップＳＴ３７で電源供給装置１０３へ端末情報応答フレームＦ５を送信する。このとき、携帯電話機２ａでは端末情報格納部２６から識別情報Ｄ３が読み出され、端末情報応答フレームＦ６に端末情報Ｄ０＝識別情報Ｄ３を記述（付加）して電源供給装置１０３に送信するようになされる。
【０１２３】
次に、電源供給装置１０３は、携帯電話機２ａからの端末情報応答フレームＦ５を受信し、ステップＳＴ３８で端末機種判別処理を実行する。この処理によれば、端末情報応答フレームＦ５から端末情報Ｄ０＝識別情報Ｄ３を抽出する。電源供給装置１０３の主要制御部１４が識別情報Ｄ３を例えばアドレスにして、端末情報格納部１６から該当する外形情報Ｄ１および座標情報Ｄ２を読み出す。これにより、携帯電話機２ａや音楽プレーヤ２ｂ等の端末装置２の機種が判別される。
【０１２４】
そして、ステップＳＴ３９で表示機能部１２に当該携帯電話機２ａの外形映像Ｐａを表示する。この例でも第１及び第２の実施例と同様にして、電源供給装置１０３の表示機能部１２において、図３Ａで示した表示領域Ｉに、図３Ｂで示した携帯電話機２ａに関するビットマップ情報を当てはめられ、図４に示したような携帯電話機２ａの外形映像Ｐａが表示される。このとき、電源供給装置１０３は、携帯電話機２ａにおいて電源供給ポイントを与える座標情報Ｄ２を、自身の電源供給ポイントを与える座標情報Ｄ２と一致させて、外形映像Ｐａを表示する。
【０１２５】
以上のフレームシーケンスは、第１及び第２の実施例と同様にして全て自動的に行われ、携帯電話機２ａ等の端末装置２を電源供給装置１０３に近づけるというユーザ行為により、電源供給装置１０３では携帯電話機２ａの外形表示までが行われる。そして、当該携帯電話機２ａを取り扱うユーザは、第１の実施例と同様にして電源供給装置１０３の表示機能部１２に表示された外形映像Ｐａに沿って当該携帯電話機２ａを載置するようになされる。その後、ステップＳＴ３９で電源供給装置１０３から携帯電話機２ａへ無線方式により充電処理がなされる。この例では、ステップＳＴ３８で端末機種が判別されているので、図９に示したような充電通信処理が実行できるようになる。
【０１２６】
このように第３の実施例としての電源供給システム３００によれば、携帯電話機２ａ等の端末装置２と電源供給装置１０３間でアンテナコイル１１３，２１１を整合させて無線方式により充電処理をする場合に、識別情報Ｄ３が端末装置２に備えられる。識別情報Ｄ３は、電源供給装置１０３に対するアンテナ整合時の位置座標系における自機の外形映像Ｐａ等とアンテナ指向性との関係を表示するための外形情報Ｄ１＋座標情報Ｄ２を読み出す情報である。これを前提にして、電源供給装置１０３は、携帯電話機２ａ等の端末装置２から識別情報Ｄ３を受信すると、複数の外形情報Ｄ１等を機種別に記憶した機種別情報格納部１６から、当該携帯電話機２ａの外形情報Ｄ１＋座標情報Ｄ２を読み出すようになされる。この外形情報Ｄ１＋座標情報Ｄ２に基づいて表示機能部１２に携帯電話機２ａの外形映像Ｐａを表示するようになる。
【０１２７】
従って、第１及び第２の実施例と同様にして、電源供給装置１０３の表示機能部１２に表示された外形映像Ｐａに沿って端末装置２を載置すると、電源供給装置１０３のアンテナ指向性（アンテナコイル１１３）と、端末装置２のアンテナ指向性（アンテナコイル２１１）とをアンテナコイル１１３、２１１の容姿を目視確認して位置合わせすることなく、自己整合的かつ自動的に２つのアンテナコイル１１３、２１１を整合できるようになる。これにより、２つのアンテナコイル１１３，２１１が最適に整合された状態で、電源供給装置１０３から端末装置２へ所定の電力を供給したり、電源供給装置１０３と端末装置２との間で所望の通信処理を実行できるようになる。
【実施例４】
【０１２８】
図１２は、第４の実施例としての電源供給システム４００の内部構成例を示すブロック図である。
【０１２９】
この例では、第１及び第３の実施例に係る電源供給システム１００、３００に比べて、アンテナコイル兼用型ではなく、充電用の１・２次コイル１１３，２１１と通信用のアンテナ１５，２７とが分離したシステムである。アンテナ１１３は、第２の実施例と同様にして、１次コイル１１３のコイル中心座標に対して所定の位置に設置され、アンテナ２１１は、２次コイル２１１のコイル中心座標に対して所定の位置に設置されている。
【０１３０】
図１２に示す電源供給システム４００によれば、第４の無線電子機器の機能を構成する電源供給装置１０４を有している。電源供給装置１０４は、第２の実施例と同様にして、１次コイル１１３の他に通信用のアンテナ１５を有している。アンテナ１５は無線通信部１３に接続される。
【０１３１】
無線処理部１３は、アンテナ１５を相手方のアンテナ２７と整合させる機器載置面に設けられた表示機能部１２に載置された携帯電話機２ａや音楽プレーヤ２ｂ等の端末装置２との間で識別情報Ｄ３に基づいて無線通信処理をする。識別情報Ｄ３は、電源供給装置１０４に対するアンテナ整合時の位置座標系における自機の外形映像Ｐａ等とアンテナ指向性との関係を表示するための外形情報Ｄ１＋座標情報Ｄ２を読み出す情報である。
【０１３２】
一方、図１２に示す端末装置２は、２次コイル２１１の他に通信用のアンテナ２７を有している。アンテナ２７は無線通信部２４に接続される。無線処理部２４は、識別情報Ｄ３を端末情報格納部２６から読み出して無線通信処理をする。識別情報Ｄ３は、電源供給装置１０４に対するアンテナ整合時の位置座標系における自機の外形映像Ｐａとアンテナ２７の指向性との関係を表示する外形情報Ｄ１を読み出すための情報である。
【０１３３】
電源供給装置１０４では主要制御部１４が携帯電話機２ａから受信した識別情報Ｄ３によって機種別情報格納部１６から外形情報Ｄ１＋座標情報Ｄ２を機種別に読み出すようになされる。なお、図１２において、図８に示した第２の実施例の電源供給システム２００と同じ符号のものは、同じ機能を有するので、その説明を省略する。
【０１３４】
この例でも、機種別に異なる携帯電話機２ａ等に対して当該携帯電話機２ａの外形映像Ｐａを機器載置面の表示機能部１２に表示できるようになる。また、電源供給装置１０４の表示機能部１２に表示された外形映像Ｐａに沿って携帯電話機２ａ等を載置するようになされる。
【０１３５】
電源供給システム４００では、電源供給装置１０４から端末装置２への無線通信時、アンテナ１５とアンテナ２７とを使用して最適に無線通信処理がなされる。この例で、電源供給装置１０４は外形情報Ｄ１＋座標情報Ｄ２に基づいて機器載置面の表示機能部１２に携帯電話機２ａや音楽プレーヤ２ｂ等の端末装置２の外形映像ＰａやＰｂ等を表示する。これ共に、ユーザは端末装置２を機器載置面に載置する。このとき、電源供給装置１０４から端末装置２への充電時には、第１〜第３の実施例で説明したように、１次コイル１１３と２次コイル２１１とを最適に位置合わせした状態に整合される。この状態で、例えば、電源供給装置１０４は、当該携帯電話機２ａに対して非接触に電源を供給したり、電源供給装置１０４とこれらの端末装置２との間で所望の通信処理を実行する。
【０１３６】
このように、第４の実施例としての電源供給システム４００及び無線処理方法によれば、充電用の１・２次コイル１１３，２１１と通信用のアンテナ１５，２７とが分離されたシステムにおいて、識別情報Ｄ３が携帯電話機２ａに備えられる。電源供給装置１０４は、携帯電話機２ａ等の端末装置２から識別情報Ｄ３を受信すると、複数の外形情報Ｄ１等を機種別に記憶した機種別情報格納部１６から、当該携帯電話機２ａの外形情報Ｄ１＋座標情報Ｄ２を読み出すようになされる。この外形情報Ｄ１＋座標情報Ｄ２に基づいて表示機能部１２に携帯電話機２ａの外形映像Ｐａを表示するようになる。
【０１３７】
従って、第１〜第３の実施例の電源供給システム１００，２００，３００と同様にして、電源供給装置１０４の表示機能部１２に表示された外形映像Ｐａに沿って携帯電話機２ａを載置すると、電源供給装置１０４の１次コイル１１３（アンテナ指向性）と、携帯電話機２ａの２次コイル（アンテナ指向性）とをアンテナコイル容姿を目視確認して位置合わせすることなく、自己整合的かつ自動的に２つのアンテナコイル１１３、２１１を整合できるようになる。これにより、２つのアンテナコイル１１３、２１１及びアンテナ１５，２７が最適に整合された状態で、電源供給装置１０４から携帯電話機２ａへ所定の電力を供給したり、電源供給装置１０４と携帯電話機２ａ等との間で所望の通信処理を実行できるようになった。
【実施例５】
【０１３８】
図１３は、第５の実施例としてのデータ通信システム５００の構成例を示す図である。
【０１３９】
この実施例では、データ通信装置１０５及び携帯電話機２ｃとの間で外形映像Ｐｃ等に基づいてアンテナ指向性を整合させて、所望の通信処理を実行できるようにしたものである（第３の無線処理システム）。
【０１４０】
図１３に示すデータ通信システム５００は無線処理システムの機能を構成し、近距離無線通信機能付きのデータ通信装置１０５や、同機能付きの端末装置２０１等の２つの無線電子機器間でアンテナを整合させ、非接触によりデータ通信処理をするシステムである。データ通信装置１０５は、第１の無線電子機器の機能を構成し、所定形状の筐体及び、当該筐体内に所定指向性のアンテナ１５を有して無線通信処理をする。筐体上面には表示機能部１２が設けられる。この例で表示機能部１２の上面が機器載置面を成している。
【０１４１】
アンテナ１５は、例えば、円形状を有しており、表示機能部１２の背部に固定されている。アンテナ１５は、例えば、相手方の無線電子機器に対して送受信時のアンテナ感度を最大にする指向性＃１５を有している。データ通信装置１０５には、携帯電話機２ｃや音楽プレーヤ２ｄ等の端末装置２０１を機器載置面に置くことによって、データ通信を行う近距離無線通信機能付きの非接触データ通信器が使用される。
【０１４２】
端末装置２０１は、第２の無線電子機器の機能を構成し、所定指向性のアンテナ２７を有し、かつ、当該アンテナ２７をデータ通信装置１０５のアンテナ１５に整合させるためのアンテナ整合用の端末情報Ｄ０’を有して無線通信処理をするものである。アンテナ２７も円形状を成し、携帯電話機２ｃの筐体背面内部に配置される。アンテナ２７も、例えば、相手方の無線電子機器に対して送受信時のアンテナ感度を最大にする指向性＃２７を有している。端末装置２０１を成す携帯電話機２ｃや音楽プレーヤ２ｄ等は、例えば、ブルートゥース（Blue tooth）等の２．４５ＧＨｚ帯の近距離無線通信機能を有しているものが使用される。
【０１４３】
この例で、ユーザがこれらの端末装置２０１をデータ通信装置１０５に近づけた際に、例えば、携帯電話機２ｃの外形映像Ｐｃが表面機能部１２上で浮かび上がるように表示される。このとき、外形映像Ｐｃは、データ通信装置１０５のアンテナ１５の円形中心座標と、携帯電話機２ｃのアンテナ２７の円形中心座標とが合致し、高効率のデータ通信が可能なレイアウトで表示機能部１２に表示される。
【０１４４】
図１４は、データ通信システム５００におけるデータ通信装置１０５及び端末装置２０１の内部構成例を示すブロック図である。この例では、データ通信装置１０５の構成例及び端末装置２０１の構成例に分けて説明する。
【０１４５】
図１４に示すデータ通信装置１０５は、近距離無線通信機能を有している。更に、データ通信装置１０５は、端末装置２０１から端末情報Ｄ０’を受信し、この端末情報Ｄ０’に基づいて携帯電話機２ｃや音楽プレーヤ２ｄ等の外形映像Ｐｃを表示する機能を有している。
【０１４６】
データ通信装置１０５は、例えば、表示機能部１２、無線通信機能部１３、主要制御部１４及びアンテナ１５を有して構成される。この例でアンテナ１５には無線通信機能部１３が接続され、機器載置面上に近付けられ、そして、機器載置面上に載置された携帯電話機２ｃや音楽プレーヤ２ｄ等の端末装置２０１との間で無線通信処理をする。例えば、無線通信機能部１３は、定期的にビーコンフレームＦ１を送出し、機器載置面上に近付けられた携帯電話機２ｃから端末通知求フレームＦ２を受信して外形情報Ｄ１を受信する（図１７参照）。無線通信機能部１３には、ブルートゥース等の２．４５ＧＨｚ帯の近距離無線通信機能が実装される。要は、携帯電話機２ｃ等と無線通信処理を行うための機能を有した、例えば、ＲＦＩＤなどの近距離無線通信に適用されるデータ通信方式が実装されていればよい。
【０１４７】
無線通信機能部１３には主要制御部１４が接続され、データ通信機能部１１、表示機能部１２及び無線通信機能部１３の入出力を集中制御する。例えば、主要制御部１４は、無線通信機能部１３が携帯電話機２ｃから受信した外形情報Ｄ１及び座標情報Ｄ２’を入力し、この外形情報Ｄ１及び座標情報Ｄ２’を表示機能部１２に出力して、当該携帯電話機２ｃの外形映像Ｐｃを機器載置面で表示するように制御する。主要制御部１４は、ＣＰＵ（中央処理装置）、ＲＯＭ（読出し専用メモリ）、ＲＡＭ（情報随時書込み読み出し可能なメモリ）等を使用して構成される。
【０１４８】
主要制御部１４には表示機能部１２が接続され、携帯電話機２ｃや音楽プレーヤ２ｄ等の端末装置２０１の外形映像Ｐｃを機器載置面において表示する機能を有している。この例では、携帯電話機２ｃ等が機器載置面上に載置される前に、表示機能部１２が外形情報Ｄ１を取得し、これに基づく携帯電話機２ｃ等の外形映像Ｐｃを表示する。すなわち、外形映像Ｐｃは、機器載置面上に携帯電話機２ｃや音楽プレーヤ２ｄ等が機器載置面上に載置される前に表示機能部１２に表示される。これはユーザに対して携帯電話機２ｃや音楽プレーヤ２ｄ等の載置方法を明示するためである。表示機能部１２には、例えば、液晶表示装置、あるいは、プロジェクションによる表示が可能な表示デバイスが使用される。
【０１４９】
このようにデータ通信装置１０５を構成すると、当該データ通信装置１０５と携帯電話機２ｃとの間でアンテナ１５、２７を整合させてデータ通信処理をする場合に、無線処理部１３は、携帯電話機２ｃから外形情報Ｄ１を受信する。表示機能部１２は、この外形情報Ｄ１に基づく携帯電話機２ｃの外形映像Ｐｃを表示するようになる。例えば、データ通信装置１０５の機器載置面の表示機能部１２には、データ通信ポイントを与える外形映像Ｐｃが表示される。
【０１５０】
従って、表示機能部１２に表示された外形映像Ｐｃに沿って携帯電話機２ｃを載置すると、データ通信装置１０５のアンテナ１５の指向性と、携帯電話機２ｃのアンテナ２７の指向性とをアンテナ容姿を目視確認して位置合わせすることなく、自己整合的かつ自動的に２つのアンテナ１５、２７を整合できるようになる。
【０１５１】
上述のデータ通信装置１０５によって、データ通信処理される端末装置２０１は、携帯電話機２ｃや音楽プレーヤ２ｄ等の無線電子機器であり、当該データ通信システム５００で適用可能なものである。
【０１５２】
端末装置２０１は端末情報Ｄ０’を有している。ここに端末情報Ｄ０’とは、端末装置２０１で管理される情報をいう。端末情報Ｄ０’には、外形情報Ｄ１や座標情報Ｄ２’が含まれる。ここに外形情報Ｄ１とは、当該データ通信装置１０５の表示機能部１２に対するアンテナ整合時の位置座標系における当該携帯電話機２ｃ（自機）の外形映像Ｐｃとアンテナ指向性＃２７との関係を表示するための情報をいう。座標情報Ｄ２’とは、当該データ通信装置１０５に対して最適なデータ通信ポイントを与える情報をいう。
【０１５３】
端末装置２０１は、例えば、図１４に示すように無線処理部２４、主要制御部２５、端末情報格納部２６、表示機能部２８、情報格納部２９及び入力部３０を備えて構成される。アンテナ２７には、無線通信機能部２４が接続され、データ通信装置１０５と無線通信処理を行うようになされる。例えば、無線処理部２４は、アンテナ整合時、端末情報格納部２６から読み出された外形情報Ｄ１をデータ通信装置１０５へ送信するようになされる。無線通信機能部２４には、無線通信機能部１３と同様な、２．４５ＧＨｚ帯の近距離無線通信機能や、ＲＦＩＤなどの近距離無線通信に適用されるデータ通信方式が実装される。
【０１５４】
無線通信機能部２４には主要制御部２５が接続され、無線通信機能部２４、端末情報格納部２６、表示機能部２８、情報格納部２９及び入力部３０の入出力を制御する。主要制御部２５は、主要制御部１４と同様にして、ＣＰＵ（中央処理装置）、ＲＯＭ（読出し専用メモリ）、ＲＡＭ（情報随時書込み読み出し可能なメモリ）等を使用して構成され、例えば、当該端末装置２０１の一部、あるいは、全体を制御するようになされる。
【０１５５】
主要制御部２５には、記憶部の機能を構成する端末情報格納部２６が接続され、携帯電話機２ｃや音楽プレーヤ２ｄ等の端末装置固有の端末情報Ｄ０’を記憶する。端末情報Ｄ０’は外形情報Ｄ１＋座標情報Ｄ２’である。端末情報格納部２６には、例えば、所定のデータ通信ポイントを与える座標情報Ｄ２’が格納される。なお、端末情報Ｄ０’の他に電話番号情報や、ユーザ情報等も格納される。
【０１５６】
端末情報格納部２６には、ＥＥＰＲＯＭ（電気的な情報書込み及び消去可能な読み出し専用メモリ）や、固定記憶ディスク装置（ハードディスク：ＨＤＤ）等の不揮発メモリが使用される。不揮発メモリはデータが随時書込可能であって、電源が切られても、データを保持するメモリである。外形情報Ｄ１や座標情報Ｄ２’は、携帯電話機２ｃ等の外形映像Ｐｃを表示するために使用される。端末情報Ｄ０’は、例えば、ビットマップ情報によって表現される。
【０１５７】
主要制御部２５には表示機能部２８、情報格納部２９及び入力部３０が接続され、データ通信処理時に使用される。例えば、表示機能部２８にはデータ通信処理中を示す映像や、タイトル映像等が表示される。情報格納部２９には、データ通信装置１０５から送信されてきたデータが格納される（下り情報）。また、端末装置２０１がデジタルカメラ等の場合には、情報格納部２９には、静止画情報が格納（蓄積）され、データ通信時、端末装置２０１からデータ通信装置１０５へ蓄積されていた静止画情報（上り情報）が転送するようになされる。情報格納部２９には、端末情報格納部２６と同様にして、ＥＥＰＲＯＭや、ＨＤＤ等の不揮発メモリが使用される。もちろん、情報格納部２９と端末情報格納部２６とを兼用してもよい。入力部３０は、これらのデータ通信処理の際に、転送スタート入力を指示したり、情報格納部２９に蓄積された静止画情報を確認等する場合に操作される。
【０１５８】
このように端末装置２０１を構成すると、２つのアンテナ１５、２７を整合させて無線方式によりデータ通信処理をする場合に、無線処理部２４は、アンテナ整合時、データ通信装置１０５へ外形情報Ｄ１を送信するようになされる。従って、データ通信装置１０５の表示機能部１２に表示された外形映像Ｐｃに沿って携帯電話機２ｃ等を載置すると、データ通信装置１０５のアンテナ指向性＃１５と、当該端末装置２０１のアンテナ指向性＃２７とをアンテナ容姿を目視確認して位置合わせすることなく、自己整合的かつ自動的に２つのアンテナ１５、２７を整合できるようになる。これにより、端末装置２０１に対して高効率によりデータ通信処理を実行できるようになり、従来方式のデータ通信システム８００に比べてより高度なデータ通信システム５００を構築できるようになる。
【０１５９】
図１５Ａ及びＢは表示機能部１２の表示領域例及び端末情報Ｄ０’のイメージ例を示す図である。
【０１６０】
図１５Ａに示すデータ通信装置１０５の表示機能部１２は表示領域Ｉを有している。表示領域Ｉは、横方向（行方向）の画素がＡ個であり、縦方向の画素（列方向）がＢ個であるマトリクス状を成している。表示機能部１２の機器載置面に位置座標系ＸＹを定義したとき、位置座標系ＸＹで示すと、表示領域Ｉは、行方向が座標（ｘ，ｙ）＝（０，０）〜（Ｃ，０）であり、列方向が座標（ｘ，ｙ）＝（０，Ｄ）〜座標（Ｃ，Ｄ）である。この例では、アンテナ１５の給電部の座標（ｘ，ｙ）＝（ｃ，ｄ）が設定され、この座標（ｃ，ｄ）を示す座標情報Ｄ２’がデータ通信装置１０５におけるデータ通信ポイントを示す特定ビットとなっている。
【０１６１】
図１５Ｂに示す端末情報Ｄ０’のイメージ例によれば、携帯電話機２ｃ等の外形映像Ｐｃをビットマップ領域IIｃ上でデジタル表示するようになされる。ビットマップ領域IIｃは、横方向（行方向）の画素がＭビットであり、縦方向の画素（列方向）がＮビットであるマトリクス状（Ｍ×Ｎビット）を成している。端末情報Ｄ０’は、Ｍ×Ｎビットのビットマップ領域IIｃにおいて表現される。ビットマップのディメンジョンは、データ通信装置１０５の表示デバイスのディメンジョンと同一である。
【０１６２】
すなわち、表示機能部１２の機器載置面に定義された位置座標系ＸＹで示すと、ビットマップ領域IIｃは、行方向が座標（ｘ，ｙ）＝（０，０）〜（Ｍ，０）であり、列方向が座標（ｘ，ｙ）＝（０，Ｎ）〜座標（Ｍ，Ｎ）である。この例では、アンテナ２７の給電部の座標（ｘ，ｙ）＝（ｍ，ｎ）が設定され、この座標（ｍ，ｎ）を示す座標情報Ｄ２’が携帯電話機２ｃにおけるデータ通信ポイントを示す特定ビットとなっている。
【０１６３】
この例では、各ビットの（０，１）に対応して、外形映像Ｐｃがビットマップ領域IIｃに展開（表現）される。外形映像Ｐｃは、携帯電話機２ｃの外観形状、例えば、その投影形状を表示可能な影絵風に模したものである。このビットマップ領域IIｃにおける携帯電話機２ｃの外形映像Ｐｃは、黒べた部分で論理値が例えば「０」であり、この外形映像Ｐｃを囲む非外形部分は、白抜き□部分で論理値「１」で示している。これは、ビットマップ領域IIｃ上で外形映像Ｐｃをデジタル表示するようにしたためである。このように端末情報Ｄ０’が外形情報Ｄ１や座標情報Ｄ２’等のビットマップ情報によって表現される。
【０１６４】
図１６は、表示機能部１２における外形映像Ｐｃの表示例を示す図である。図１６に示す外形映像Ｐｃの表示例によれば、表示機能部１２の機器載置面に定義された位置座標系ＸＹにおいて、主要制御部１４で座標（ｘ，ｙ）＝（ｃ，ｄ）を示す座標情報Ｄ２’と座標（ｘ，ｙ）＝（ｍ，ｎ）を示す座標情報Ｄ２’とを合致させるように表示機能部１２を制御する。
【０１６５】
この例では、表示領域Ｉの行方向の座標（ｘ，ｙ）＝（０，０）〜（Ｃ，０）にビットマップ領域IIｃの行方向の座標（ｘ，ｙ）＝（０，０）〜（Ｃ，０）が当て嵌められ、その列方向の座標（ｘ，ｙ）＝（０，０）〜（０，Ｄ）にビットマップ領域IIｃの列方向の座標（ｘ，ｙ）＝（０，０）〜（０，Ｄ）が各々当て嵌められる。
【０１６６】
これにより、データ通信装置１０５におけるデータ通信ポイントの特定ビットとなっているアンテナ１５の指向性＃１５（給電部の座標）と、携帯電話機２ｃにおけるデータ通信ポイントの特定ビットとなっているアンテナ２７の指向性＃２７（給電部の座標）とを一致させることができる。
【０１６７】
続いて、本発明に係る無線処理方法について、データ通信システム５００におけるデータ通信処理例について説明する。
【０１６８】
図１７は、データ通信システム５００におけるデータ通信処理例を示すシーケンスチャートである。このシーケンスチャートは、データ通信装置１０５と携帯電話機２ｃと間の無線通信処理におけるフレームシーケンスを示すものである。
【０１６９】
この例では、所定の指向性＃１５のアンテナ１５を有し、かつ、機器載置面に表示機能部１２を有して無線通信処理をするデータ通信装置１０５と、所定の指向性＃２７のアンテナ２７を有し、かつ、当該アンテナ２７をアンテナ１５に整合させるためのアンテナ整合用の端末情報Ｄ０’を有して無線通信処理をする端末装置２０１との間で無線方式によりデータ通信処理をする場合を前提とする。アンテナ整合時には、携帯電話機２ｃがデータ通信装置１０５へ端末情報Ｄ０’を送信し、データ通信装置１０５が携帯電話機２ｃから端末情報Ｄ０’を受信し、端末情報Ｄ０’に基づいて表示機能部１２に携帯電話機２ｃの外形映像Ｐｃを表示する場合を例に挙げる。
【０１７０】
データ通信装置１０５は、ステップＳＴ５１で定期的にビーコンフレームＦ１を送出する。そして、ユーザが携帯電話機２ｃ等をデータ通信装置１０５に近づけると、携帯電話機２ｃは、ステップＳＴ５２で送出されたビーコンフレームＦ１を受信する。このビーコンフレームＦ１に対応して、ステップＳＴ５３で携帯電話機２ｃはデータ通信装置１０５へ端末通知フレームＦ２を送信する。
【０１７１】
データ通信装置１０５は携帯電話機２ｃからの端末通知フレームＦ２を受信し、ステップＳＴ５４で携帯電話機２ｃへ接続要求フレームＦ３を送信する。その後、携帯電話機２ｃは接続要求フレームＦ３を受信し、ステップＳＴ５５でデータ通信装置１０５へ接続応答フレームＦ４を送信する。
【０１７２】
データ通信装置１０５は携帯電話機２ｃからの接続応答フレームＦ４を受信し、ステップＳＴ５６で携帯電話機２ｃへ端末情報要求フレームＦ５を送信する。その後、携帯電話機２ｃは端末情報要求フレームＦ５を受信し、ステップＳＴ５７でデータ通信装置１０５へ端末情報応答フレームＦ５を送信する。このとき、携帯電話機２ｃでは端末情報格納部２６から端末情報Ｄ０’が読み出され、端末情報応答フレームＦ６に端末情報Ｄ０’を記述（付加）してデータ通信装置１０５に送信するようになされる。端末情報Ｄ０’は外形情報Ｄ１＋座標情報Ｄ２’である。
【０１７３】
次に、データ通信装置１０５は、携帯電話機２ｃからの端末情報応答フレームＦ５を受信し、ステップＳＴ５８で表示機能部１２に当該携帯電話機２ｃの外形映像Ｐｃを表示する。この例では、データ通信装置１０５の表示機能部１２において、図１５Ａで示した表示領域Ｉに、図１５Ｂで示した携帯電話機２ｃに関するビットマップ情報を当てはめられ、図１６に示したような携帯電話機２ｃの外形映像Ｐｃが表示される。このとき、データ通信装置１０５は、携帯電話機２ｃにおいてデータ通信ポイントを与える座標情報Ｄ２’を、自身のデータ通信ポイントを与える座標情報Ｄ２’と一致させて、外形映像Ｐｃを表示する。
【０１７４】
以上のフレームシーケンスは、全て自動的に行われ、携帯電話機２ｃをデータ通信装置１０５に近づけるというユーザ行為により、データ通信装置１０５では携帯電話機２ｃの外形表示までが行われる。そして、当該携帯電話機２ｃを取り扱うユーザは、データ通信装置１０５の表示機能部１２に表示された外形映像Ｐｃに沿って当該携帯電話機２ｃを載置するようになされる。その後、ステップＳＴ５９でデータ通信装置１０５から携帯電話機２ｃへ無線方式によりデータ通信処理（下りデータ）がなされ、又は／及びステップＳＴ６０で携帯電話機２ｃからデータ通信装置１０５へ無線方式によりデータ通信処理（上りデータ）等がなされる。
【０１７５】
図１８は、データ通信システム５００における音楽プレーヤ２ｄのデータ通信処理例を示す概念図である。上述したようなデータ通信システム５００において、図１８に示すような音楽プレーヤ２ｄが近づけられたときには、音楽プレーヤ２ｄの外形映像Ｐｂが表示機能部１２上で浮かび上がるように表示される。
【０１７６】
音楽プレーヤ２ｄは、第２の無線電子機器の機能を構成し、所定の指向性＃２７のアンテナ２７を有し、かつ、当該アンテナ２７をデータ通信装置１０５のアンテナ１５に整合させるためのアンテナ整合用の端末情報Ｄ０’を有して無線通信処理をするものである。アンテナ２７は例えば、円形状を成し、音楽プレーヤ２ｄの筐体背面内部に配置される。音楽プレーヤ２ｄは、携帯電話機２ｃと同様にして、例えば、ブルートゥース（Blue tooth）等の２．４５ＧＨｚ帯の近距離無線通信機能を有している。
【０１７７】
この場合も、ビーコンフレーム受信の後、当該音楽プレーヤ２ｄと無線通信機能付きのデータ通信装置１０５との間でアンテナ１５及びアンテナ２７を整合させて無線処理をする。例えば、図１７に示したステップＳＴ５１〜ステップＳＴ５７を経て、ステップＳＴ５８でデータ通信装置１０５のアンテナ１５の指向性＃１５と、音楽プレーヤ２ｄのアンテナ２７の指向性＃２７とを合致するようなレイアウトで音楽プレーヤ２ｄの外形映像Ｐｄが表示機能部１２に表示される。このとき、表示機能部１２は、音楽プレーヤ２ｄ（特定の端末装置２０１）に対して良好にデータ通信処理を実行できる載置姿勢をガイドするが如く、その配置位置を機器載置面上で外形映像Ｐｄを表示するようになる。これにより、データ通信装置１０５で音楽プレーヤ２ｄとデータ通信する場合も、高効率によりデータ通信処理を実行することができる。
【０１７８】
このように、第５の実施例としてのデータ通信システム５００及び無線処理方法によれば、データ通信装置１０５と携帯電話機２ｃや音楽プレーヤ２ｄ等の端末装置２０１との間でアンテナ１５と、アンテナ２７とを整合させて無線方式により携帯電話機２ｃとデータ通信する場合に、データ通信装置１０５は、予め携帯電話機２ｃに関する端末情報Ｄ０’を持つことなく、これらの携帯電話機２ｃから端末情報Ｄ０’＝（Ｄ１＋Ｄ２’）を受信し、この端末情報Ｄ０’に基づいて表示機能部１２に携帯電話機２ｃの外形映像Ｐｃを表示するようになる。
【０１７９】
従って、データ通信装置１０５と携帯電話機２ｃや音楽プレーヤ２ｄ等の端末装置２０１とを最適な無線処理ポイントで整合できるようになる。上述した例では、アンテナ整合時、データ通信装置１０５の表示機能部１２に表示された外形映像ＰｃやＰｄに沿って携帯電話機２ｃや音楽プレーヤ２ｄ等の端末装置２０１を載置すると、データ通信装置１０５のアンテナ指向性＃１５と、携帯電話機２ｃのアンテナ指向性＃２７とをアンテナ容姿を目視確認して位置合わせすることなく、自己整合的かつ自動的に２つのアンテナ１５及びアンテナ２７を整合できるようになる。これにより、２つのアンテナ１５、２７が最適に整合された状態で、データ通信装置１０５と携帯電話機２ｃとの間で所望のデータ通信処理を実行できるようになる。
【０１８０】
これにより、データ通信システム５００によれば、携帯電話機２ｃや音楽プレーヤ２ｄ等の端末装置２０１の形状に関わらず、２つのアンテナ１５，２７が最適に整合された状態で、データ通信装置１０５から携帯電話機２ｃや音楽プレーヤ２ｄ等へ所望のデータ通信処理を実行できるようになる。従って、携帯電話機２ｃや音楽プレーヤ２ｄ等の端末装置２０１をデータ通信装置１０５の機器載置面に載置するというユーザの簡単な行為によって、データ通信処理が開始可能なデータ通信システム５００を提供できるようになった。
【実施例６】
【０１８１】
図１９は、第６の実施例としてのデータ通信システム６００の内部構成例を示すブロック図である。
【０１８２】
この実施例では、データ通信装置１０６が予め携帯電話機２ｃや、音楽プレーヤ２ｄ等の端末装置２０１に関する端末情報Ｄ０’を有しており、データ通信装置１０６が携帯電話機２ｃからの識別情報Ｄ３（固有の端末情報Ｄ０’）を無線通信機能部１３で受信し、この携帯電話機２ｃから受信した識別情報Ｄ３に基づいて当該携帯電話機２ｃに対応した外形映像Ｐｃを表示するようになされる（第４の無線処理システム）。
【０１８３】
図１９に示すデータ通信システム６００によれば、第４の無線電子機器の機能を構成するデータ通信装置１０６が機種別情報格納部１６を有している。機種別情報格納部１６は記憶部の機能を構成し、主要制御部１４に接続されて識別情報Ｄ３に対応した携帯電話機２ｃや音楽プレーヤ２ｄ等の端末装置２０１の外形情報Ｄ１及び座標情報Ｄ２’を記憶するものである。識別情報Ｄ３は固有の端末情報Ｄ０’の一例を構成し、携帯電話機２ｃや音楽プレーヤ２ｄ等の種別を識別する情報である。
【０１８４】
当該データ通信装置１０６は、携帯電話機２ｃから識別情報Ｄ３を取得し、この識別情報Ｄ３に基づいて機種別情報格納部１６から携帯電話機２ｃの外形情報Ｄ１及び座標情報Ｄ２’を読み出し、当該携帯電話機２ｃの外形映像Ｐｃを機器載置面の表示機能部１２に表示するようになされる。
【０１８５】
この表示がなされる結果、第６の実施例でも、第５の実施例と同様にして、ユーザが携帯電話機２ｃをデータ通信装置１０６に近づけるという行為によって、データ通信装置１０６は、自動的に携帯電話機２ｃの外形映像Ｐｃを表示することができ、ユーザは、簡単な行為により、様々な携帯電話機２ｃ等の端末装置２０１に対して電源効率の高い非接触なデータ通信処理を行うことができる。なお、図１９において、図１４に示した第５の実施例のデータ通信システム５００と同じ符号のものは、同じ機能を有するので、その説明を省略する。
【０１８６】
続いて、データ通信システム６００におけるデータ通信処理例について説明する。図２０は、データ通信システム６００におけるデータ通信処理例を示すシーケンスチャートである。このシーケンスチャートは、データ通信装置１０６と携帯電話機２ｃ等の端末装置２０１と間の無線通信処理におけるフレームシーケンスを示すものである。
【０１８７】
この例では、機種別情報格納部１６を有し、所定指向性＃１５のアンテナ１５を有し、かつ、機器載置面に表示機能部１２を有して無線通信処理をするデータ通信装置１０６と、所定指向性＃２７のアンテナ２７を有し、かつ、当該アンテナ２７をアンテナ１５に整合させるためのアンテナ整合用の端末情報Ｄ０’を有し、識別情報Ｄ３に基づいて無線通信処理をする端末装置２０１との間で無線方式によりデータ通信処理をする場合を前提とする。アンテナ整合時には、携帯電話機２ｃがデータ通信装置１０６へ端末情報Ｄ０’＝識別情報Ｄ３を送信し、データ通信装置１０６が携帯電話機２ｃから端末情報Ｄ０’＝Ｄ３を受信し、識別情報Ｄ３に基づいて表示機能部１２に携帯電話機２ｃの外形映像Ｐｃを表示する場合を例に挙げる。
【０１８８】
データ通信装置１０６は、図２０に示すステップＳＴ６１で第５の実施例と同様にして、定期的にビーコンフレームＦ１を送出する。そして、ユーザが携帯電話機２ｃ等をデータ通信装置１０６に近づけると、携帯電話機２ｃは、ステップＳＴ６２で送出されたビーコンフレームＦ１を受信する。このビーコンフレームＦ１に対応して、ステップＳＴ６３で携帯電話機２ｃはデータ通信装置１０６へ端末通知フレームＦ２を送信する。
【０１８９】
データ通信装置１０６は携帯電話機２ｃからの端末通知フレームＦ２を受信し、ステップＳＴ６４で携帯電話機２ｃへ接続要求フレームＦ３を送信する。その後、携帯電話機２ｃは接続要求フレームＦ３を受信し、ステップＳＴ６５でデータ通信装置１０６へ接続応答フレームＦ４を送信する。
【０１９０】
データ通信装置１０６は携帯電話機２ｃからの接続応答フレームＦ４を受信し、ステップＳＴ６６で携帯電話機２ｃへ端末情報要求フレームＦ５を送信する。その後、携帯電話機２ｃは端末情報要求フレームＦ５を受信し、ステップＳＴ６７でデータ通信装置１０６へ端末情報応答フレームＦ５を送信する。このとき、携帯電話機２ｃでは端末情報格納部２６から識別情報Ｄ３が読み出され、端末情報応答フレームＦ６に端末情報Ｄ０’＝識別情報Ｄ３を記述（付加）してデータ通信装置１０６に送信するようになされる。
【０１９１】
次に、データ通信装置１０６は、携帯電話機２ｃからの端末情報応答フレームＦ５を受信し、ステップＳＴ６８で端末機種判別処理を実行する。この処理によれば、端末情報応答フレームＦ５から端末情報Ｄ０’＝識別情報Ｄ３を抽出する。データ通信装置１０６の主要制御部１４が識別情報Ｄ３を例えばアドレスにして、端末情報格納部１６から該当する外形情報Ｄ１および座標情報Ｄ２’を読み出す。これにより、携帯電話機２ｃや音楽プレーヤ２ｄ等の端末装置２０１の機種が判別される。
【０１９２】
そして、ステップＳＴ６９で表示機能部１２に当該携帯電話機２ｃの外形映像Ｐｃを表示する。この例でも第５の実施例と同様にして、データ通信装置１０６の表示機能部１２において、図１５Ａで示した表示領域Ｉに、図１５Ｂで示した携帯電話機２ｃに関するビットマップ情報を当てはめられ、図１６に示したような携帯電話機２ｃの外形映像Ｐｃが表示される。このとき、データ通信装置１０６は、携帯電話機２ｃにおいてデータ通信ポイントを与える座標情報Ｄ２’を、自身の電源供給ポイントを与える座標情報Ｄ２’と一致させて、外形映像Ｐｃを表示する。
【０１９３】
以上のフレームシーケンスは、第５の実施例と同様にして全て自動的に行われ、携帯電話機２ｃ等の端末装置２０１をデータ通信装置１０６に近づけるというユーザ行為により、データ通信装置１０６では携帯電話機２ｃの外形表示までが行われる。そして、当該携帯電話機２ｃを取り扱うユーザは、第５の実施例と同様にしてデータ通信装置１０６の表示機能部１２に表示された外形映像Ｐｃに沿って当該携帯電話機２ｃを載置するようになされる。その後、ステップＳＴ６９でデータ通信装置１０６から携帯電話機２ｃへ無線方式によりデータ通信処理がなされる。
【０１９４】
このように第６の実施例としてのデータ通信システム６００によれば、携帯電話機２ｃ等の端末装置２０１とデータ通信装置１０６間でアンテナ１５、２７を整合させて無線方式によりデータ通信処理をする場合に、識別情報Ｄ３が端末装置２０１に備えられる。識別情報Ｄ３は、データ通信装置１０６に対するアンテナ整合時の位置座標系における自機の外形映像Ｐｃ等とアンテナ指向性との関係を表示するための外形情報Ｄ１＋座標情報Ｄ２’を読み出す情報である。これを前提にして、データ通信装置１０６は、携帯電話機２ｃ等の端末装置２０１から識別情報Ｄ３を受信すると、複数の外形情報Ｄ１等を機種別に記憶した機種別情報格納部１６から、当該携帯電話機２ｃの外形情報Ｄ１＋座標情報Ｄ２’を読み出すようになされる。この外形情報Ｄ１＋座標情報Ｄ２’に基づいて表示機能部１２に携帯電話機２ｃの外形映像Ｐｃを表示するようになる。
【０１９５】
従って、第５の実施例と同様にして、データ通信装置１０６の表示機能部１２に表示された外形映像Ｐｃに沿って端末装置２０１を載置すると、データ通信装置１０６のアンテナ指向性＃１５と、端末装置２０１のアンテナ指向性＃２７とをアンテナ１５、２７の容姿を目視確認して位置合わせすることなく、自己整合的かつ自動的に２つのアンテナ１５，２７を整合できるようになる。これにより、２つのアンテナ１５，２７が最適に整合された状態で、データ通信装置１０６から端末装置２０１との間で所望のデータ通信処理を実行できるようになる。
【実施例７】
【０１９６】
図２１は、第７の実施例としてのデータ通信システム７００における外形映像の表示例を示す図である。
【０１９７】
図２１に示すデータ通信システム７００における外形映像の表示例によれば、電源供給ポイントを与える外形映像Ｐａ及びデータ通信ポイントを与える外形映像Ｐｃとが異なる色で区別して表示される。
【０１９８】
このように色区別した外形映像Ｐａ及びＰｃをデータ通信装置１０７等の表示機能部１２に表示するには、携帯電話機２ｃの端末情報格納部２６に、所定の電源供給ポイントを与える座標情報Ｄ２と、所定のデータ通信ポイントを与える座標情報Ｄ２’とがそれぞれ記憶される。
【０１９９】
この例では、携帯電話機２ｃをデータ通信装置１０７に近づけるというユーザ行為によって、携帯電話機２ｃでは、端末情報格納部２６から、所定の電源供給ポイントを与える座標情報Ｄ２と、所定のデータ通信ポイントを与える座標情報Ｄ２’とが読み出され、携帯電話機２ｃからデータ通信装置１０７へ端末情報Ｄ０’＝外形情報Ｄ１＋座標情報Ｄ２＋座標情報Ｄ２’が送信される。
【０２００】
データ通信装置１０７では、主要制御部１４が端末情報Ｄ０’＝外形情報Ｄ１＋座標情報Ｄ２＋座標情報Ｄ２’を機能表示部１２に出力する。機能表示部１２では、これらの端末情報Ｄ０’＝外形情報Ｄ１＋座標情報Ｄ２＋座標情報Ｄ２’に基づいて、機器載置面上に、良好な充電と良好な非接触データ通信との双方を行うことができる外形映像Ｐａ、Ｐｃを独立して表示するようになされる。これにより、ユーザは、機器載置面の表示機能部１２に表示された、電源供給ポイントを与える外形映像Ｐａ又は、データ通信ポイントを与える外形映像Ｐｃとのいずれかを選択できるようになる。
【０２０１】
このように、第７の実施例としてのデータ通信システム７００における外形映像Ｐａ、Ｐｃの表示例によれば、データ通信装置１０７の機器載置面上において、電源供給ポイントを与える外形映像Ｐａの表示と、データ通信ポイントを与える外形映像Ｐｃの表示とを独立してなされる。これらは例えば異なる色によって表示される。
【０２０２】
従って、ユーザは、非接触充電処理又は非接触データ通信処理のいずれかを選択して、端末置２や、端末装置２０１を配置すればよい。これにより、無線電子機器が配置されない面上において、他の携帯電話機２ｃ等の非接触データ通信処理又は非接触充電処理に利用することが可能になる。
【産業上の利用可能性】
【０２０３】
この発明は、所望の電力を充電する非接触型の電源供給システムや、映像及び音情報を通信処理する非接触型のデータ通信システム、携帯端末装置等に適用して極めて好適である。
【図面の簡単な説明】
【０２０４】
【図１】本発明に係る第１の実施例としての無線方式の電源供給システム１００の構成例を示す図である。
【図２】電源供給システム１００における電源供給装置１及び端末装置２の内部構成例を示すブロック図である。
【図３】（Ａ）及び（Ｂ）は、表示機能部１２の表示領域例及び端末情報Ｄ０のイメージ例を示す図である。
【図４】表示機能部１２における外形映像Ｐａの表示例を示す図である。
【図５】電源供給システム１００における充電特性例を示すグラフ図である。
【図６】電源供給システム１００における充電処理例を示すシーケンスチャートである。
【図７】電源供給システム１００における音楽プレーヤ２ｂの充電処理例を示す概念図である。
【図８】第２の実施例としての電源供給システム２００の内部構成例を示すブロック図である。
【図９】電源供給システム２００における充電通信例を示すシーケンスチャートである。
【図１０】第３の実施例としての電源供給システム３００の内部構成例を示すブロック図である。
【図１１】電源供給システム３００における充電処理例を示すシーケンスチャートである。
【図１２】第４の実施例としての電源供給システム４００の内部構成例を示すブロック図である。
【図１３】第５の実施例としてのデータ通信システム５００の構成例を示す図である。
【図１４】データ通信システム５００におけるデータ通信装置１０５及び端末装置２０１の内部構成例を示すブロック図である。
【図１５】（Ａ）及び（Ｂ）は表示機能部１２の表示領域例及び端末情報のイメージ例を示す図である。
【図１６】表示機能部１２における外形映像Ｐｃの表示例を示す図である。
【図１７】データ通信システム５００におけるデータ通信処理例を示すシーケンスチャートである。
【図１８】データ通信システム５００における音楽プレーヤ２ｄのデータ通信処理例を示す概念図である。
【図１９】第６の実施例としてのデータ通信システム６００の内部構成例を示すブロック図である。
【図２０】データ通信システム６００におけるデータ通信処理例を示すシーケンスチャートである。
【図２１】第７の実施例としてのデータ通信システム７００における外形映像Ｐａ、Ｐｃの表示例を示す図である。
【図２２】従来例に係る非接触型の充電システム８００の内部構成例を示す図である。
【符号の説明】
【０２０５】
１，１０２，１０３，１０４・・・電源供給装置（第１の無線電子機器）、２，２０１・・・端末装置、２ａ，２ｃ・・・携帯電話機（第２の無線電子機器）、２ｂ，２ｃ・・・音楽プレーヤ（第２の無線電子機器）、１１・・・送電機能部、１２，２８・・・表示機能部、１３，２４・・・無線通信機能部、１４，２５・・・主要制御部、１５，２７・・・アンテナ、１６・・・機種別情報格納部（記憶部）、２１・・・受電機能部、２３・・・充電池、２６・・・端末情報格納部（記憶部）、２９・・・情報格納部、３０・・・入力部、１００，２００，３００，４００・・・電源供給システム（無線処理システム）、１０５，１０６，１０７・・・・データ通信装置（第１の無線電子機器）、１１３・・・１次コイル、２１１・・・２次コイル、５００，６００，７００・・・データ通信システム（無線処理システム）
【図１】
2008148148.tif 000003
【図２】
2008148148.tif 000004
【図３】
2008148148.tif 000005
【図４】
2008148148.tif 000006
【図５】
2008148148.tif 000007
【図６】
2008148148.tif 000008
【図７】
2008148148.tif 000009
【図８】
2008148148.tif 000010
【図９】
2008148148.tif 000011
【図１０】
2008148148.tif 000012
【図１１】
2008148148.tif 000013
【図１２】
2008148148.tif 000014
【図１３】
2008148148.tif 000015
【図１４】
2008148148.tif 000016
【図１５】
2008148148.tif 000017
【図１６】
2008148148.tif 000018
【図１７】
2008148148.tif 000019
【図１８】
2008148148.tif 000020
【図１９】
2008148148.tif 000021
【図２０】
2008148148.tif 000022
【図２１】
2008148148.tif 000023
【図２２】
2008148148.tif 000024
【手続補正書】
【提出日】平成19年12月21日(2007.12.21)
【手続補正１】
【補正対象書類名】明細書
【補正対象項目名】０００６
【補正方法】変更
【補正の内容】
【０００６】
一方、端末装置２０は、受電機能部２１、回路２２及び充電池２３を有している。受電機能部２１は、２次コイル２１１、ＡＣ−ＤＣコンバータ２１２、整流回路２１３を有して構成される。２次コイル２１１には、１次コイル１１３で発生される１００ｋＨｚ程度の高周波による交番磁界が鎖交される。２次コイル２１１にはＡＣ−ＤＣコンバータ２１２が接続され、２次コイル２１１に誘導された高周波による交流電源が直流電源に変換される。ＡＣ−ＤＣコンバータ２１２には整流回路２１３が接続され、直流電源が整流されて平滑される。
【手続補正２】
【補正対象書類名】明細書
【補正対象項目名】０００８
【補正方法】変更
【補正の内容】
【０００８】
ここに２次コイル２１１へ誘導される電圧値は、１次コイル１１３と２次コイル２１１の巻き数比によって変化させることができる。１次コイル１１３の巻き数をｎ１、２次コイル２１１の巻き数をｎ２、１次コイル１１３に与える電圧をＶ１、２次コイル２１１に発生する電圧をＶ２とすると、電圧Ｖ２は（１）式で与えられる。
【手続補正３】
【補正対象書類名】明細書
【補正対象項目名】００１０
【補正方法】変更
【補正の内容】
【００１０】
例えば、１次コイル１１３に与える高周波電力の電圧を１００Ｖとして、２次コイル側で５Ｖの高周波電圧を得る際には、２次コイルの巻数は、１次コイルの巻数の１／２０となる。なお、発生した交流電圧はＡＣ−ＤＣコンバータ２１２によって直流電圧に変換され、また整流回路２１３によって整流される。この結果として、図示しない信号処理部や負荷等の回路２２、および充電池２３に対して電源供給及び充電処理が行われることになる。なお、電源供給装置１０から、端末装置２０へ与えられる高周波電力に関して、端末装置２０で直流電圧を効率良く発生させるためには、１次コイル１１３と２次コイル２１１とを近接させ、また、双方のコイルの中心が、一致するように配置される。
【手続補正４】
【補正対象書類名】明細書
【補正対象項目名】００１６
【補正方法】変更
【補正の内容】
【００１６】
ii．上述のような問題に対して、各種端末装置で汎用型の電源供給装置を共用する方法が考えられるが、高効率に非接触に電源供給を行うためには、電源供給装置と端末装置との無線処理ポイントを非常に厳密に整合しなければならない。因みに、電源供給装置の１次コイルと端末装置の２次コイルとの位置関係が、端末装置の機種ごとに異なっている場合が多いので、良好な電源供給処理を行うための位置合わせが大変困難となるおそれが予想される。
【手続補正５】
【補正対象書類名】明細書
【補正対象項目名】００５０
【補正方法】変更
【補正の内容】
【００５０】
端末装置２は、第２の無線電子機器の機能を構成し、所定指向性のアンテナを兼用する２次コイル（以下アンテナコイル２１１という）を有し、かつ、当該アンテナコイル２１１を電源供給装置１のアンテナコイル１１３に整合させるためのアンテナ整合用の端末情報Ｄ０を有して無線通信処理をするものである。アンテナコイル２１１も円形状を成し、携帯電話機２ａの筐体背面内部に配置される。端末装置２を成す携帯電話機２ａや音楽プレーヤ２ｂ等は、例えば、ブルートゥース（Bluetooth）（登録商標）等の２．４５ＧＨｚ帯の近距離無線通信機能を有しているものが使用される。
【手続補正６】
【補正対象書類名】明細書
【補正対象項目名】００５１
【補正方法】変更
【補正の内容】
【００５１】
この例で、ユーザがこれらの端末装置２を電源供給装置１に近づけた際に、例えば、携帯電話機２ａの外形映像Ｐａが表示機能部１２上で浮かび上がるように表示される。このとき、外形映像Ｐａは、電源供給装置１のアンテナコイル１１３の円形中心座標と、携帯電話機２ａのアンテナコイル２１１の円形中心座標とが合致し、高効率の電源供給が可能なレイアウトで表示機能部１２に表示される。
【手続補正７】
【補正対象書類名】明細書
【補正対象項目名】００５４
【補正方法】変更
【補正の内容】
【００５４】
電源供給装置１は、例えば、送電機能部１１、表示機能部１２、無線通信機能部１３、主要制御部１４及び結合容量１１４を有して構成される。送電機能部１１は、ＡＣ−ＤＣコンバータ１１１、高周波インバータ１１２及びアンテナコイル１１３を有して構成される。
【手続補正８】
【補正対象書類名】明細書
【補正対象項目名】００５７
【補正方法】変更
【補正の内容】
【００５７】
この例でアンテナコイル１１３には結合容量１１４を介して無線通信機能部１３が接続され、機器載置面上に近付けられ、そして、機器載置面上に載置された携帯電話機２ａや音楽プレーヤ２ｂ等の端末装置２との間で無線通信処理をする。例えば、無線通信機能部１３は、定期的にビーコンフレームＦ１を送出し、機器載置面上に近付けられた携帯電話機２ａから端末通知要求フレームＦ２を受信して外形情報Ｄ１を受信する（図６参照）。無線通信機能部１３には、ブルートゥース等の２．４５ＧＨｚ帯の近距離無線通信機能が実装される。要は、携帯電話機２ａ等と無線通信処理を行うための機能を有した、例えば、ＲＦＩＤなどの近距離無線通信に適用されるデータ通信方式が実装されていればよい。
【手続補正９】
【補正対象書類名】明細書
【補正対象項目名】００５８
【補正方法】変更
【補正の内容】
【００５８】
無線通信機能部１３には主要制御部１４が接続され、送電機能部１１、表示機能部１２及び無線通信機能部１３の入出力を集中制御する。例えば、主要制御部１４は、無線通信機能部１３が携帯電話機２ａから受信した外形情報Ｄ１及び座標情報Ｄ２を入力し、この外形情報Ｄ１及び座標情報Ｄ２を表示機能部１２に出力して、当該携帯電話機２ａの外形映像Ｐａを機器載置面で表示するように表示制御をする。主要制御部１４は、ＣＰＵ（中央処理装置）、ＲＯＭ（読出し専用メモリ）、ＲＡＭ（情報随時書込み読み出し可能なメモリ）等を使用して構成される。
【手続補正１０】
【補正対象書類名】明細書
【補正対象項目名】００６０
【補正方法】変更
【補正の内容】
【００６０】
このように電源供給装置１を構成すると、電源供給装置１と携帯電話機２ａとの間でアンテナコイル１１３、２１１を整合させて無線方式により充電処理をする場合に、無線通信機能部１３は、携帯電話機２ａから外形情報Ｄ１を受信する。表示機能部１２は、この外形情報Ｄ１に基づく携帯電話機２ａの外形映像Ｐａを表示するようになる。例えば、電源供給装置１の機器載置面の表示機能部１２には、電源供給ポイントを与える外形映像Ｐａと、データ通信ポイントを与える外形映像Ｐａとが共通して表示される。
【手続補正１１】
【補正対象書類名】明細書
【補正対象項目名】００６３
【補正方法】変更
【補正の内容】
【００６３】
端末装置２は、例えば、図２に示すように受電機能部２１、回路２２、充電池２３、無線通信機能部２４、主要制御部２５、端末情報格納部２６及び結合容量２１４を備えて構成される。受電機能部２１は、アンテナコイル２１１、ＡＣ−ＤＣコンバータ２１２及び整流回路２１３を有して構成される。アンテナコイル２１１には所定の指向性を有したものが使用される。これらの機能については、図２２に示した従来方式の受電機能部２１が使用できるので、その説明を省略する。
【手続補正１２】
【補正対象書類名】明細書
【補正対象項目名】００６４
【補正方法】変更
【補正の内容】
【００６４】
整流回路２１３には充電池（バッテリー）２３が接続され、電源供給装置１から充電処理される直流電力が充電される。充電池２３には、回路２２、無線通信機能部２４、主要制御部２５及び端末情報格納部２６が接続され、当該充電池２３から、これらの回路部等へ駆動電圧を供給するようになされる。回路２２は、携帯電話機能や音楽再生機能を成すモジュールブロックである。
【手続補正１３】
【補正対象書類名】明細書
【補正対象項目名】００６５
【補正方法】変更
【補正の内容】
【００６５】
アンテナコイル２１１には、結合容量２１４を介して無線通信機能部２４が接続され、電源供給装置１と無線通信処理を行うようになされる。例えば、無線通信機能部２４は、アンテナ整合時、端末情報格納部２６から読み出された外形情報Ｄ１を電源供給装置１へ送信するようになされる。無線通信機能部２４には、無線通信機能部１３と同様な、２．４５ＧＨｚ帯の近距離無線通信機能や、ＲＦＩＤなどの近距離無線通信に適用されるデータ通信方式が実装される。
【手続補正１４】
【補正対象書類名】明細書
【補正対象項目名】００６９
【補正方法】変更
【補正の内容】
【００６９】
このように端末装置２を構成すると、２つのアンテナコイル１１３、２１１を整合させて無線方式により充電処理をする場合に、無線通信機能部２４は、アンテナ整合時、電源供給装置１へ外形情報Ｄ１を送信するようになされる。
【手続補正１５】
【補正対象書類名】明細書
【補正対象項目名】００７０
【補正方法】変更
【補正の内容】
【００７０】
従って、電源供給装置１の表示機能部１２に表示された外形映像Ｐａに沿って携帯電話機２ａ等を載置すると、電源供給装置１のアンテナ指向性と、当該端末装置２のアンテナ指向性とをアンテナ容姿を目視確認して位置合わせすることなく、自己整合的かつ自動的に２つのアンテナコイル１１３、２１１を整合できるようになる。これにより、端末装置２に対して高効率により電源を供給できるようになり、従来方式の充電システム８００に比べてより高度な電源供給システム１００を構築できるようになる。
【手続補正１６】
【補正対象書類名】明細書
【補正対象項目名】００８２
【補正方法】変更
【補正の内容】
【００８２】
図５に示す実線は充電池２３の電池電圧特性αであり、破線はその充電電流特性βであり、一点鎖線はその充電量特性γである。この例では、充電開始時刻（ＡＣ電力供給開始時間）から充電時間が０．８Ｈが経過する時刻において、実線に示した電池電圧特性αのように電池電圧が回復し、充電容量が７５％程度に回復すると共に、破線に示した充電電流特性βのように充電電流が降下し始め、充電時間２．５Ｈに到達すると、一点鎖線に示した充電量特性γのように満充電（１００％）となる。
【手続補正１７】
【補正対象書類名】明細書
【補正対象項目名】００８８
【補正方法】変更
【補正の内容】
【００８８】
電源供給装置１は携帯電話機２ａからの接続応答フレームＦ４を受信し、ステップＳＴ６で携帯電話機２ａへ端末情報要求フレームＦ５を送信する。その後、携帯電話機２ａは端末情報要求フレームＦ５を受信し、ステップＳＴ７で電源供給装置１へ端末情報応答フレームＦ６を送信する。このとき、携帯電話機２ａでは端末情報格納部２６から端末情報Ｄ０が読み出され、端末情報応答フレームＦ６に端末情報Ｄ０を記述（付加）して電源供給装置１に送信するようになされる。端末情報Ｄ０は外形情報Ｄ１＋座標情報Ｄ２である。
【手続補正１８】
【補正対象書類名】明細書
【補正対象項目名】００８９
【補正方法】変更
【補正の内容】
【００８９】
次に、電源供給装置１は、携帯電話機２ａからの端末情報応答フレームＦ６を受信し、ステップＳＴ８で表示機能部１２に当該携帯電話機２ａの外形映像Ｐａを表示する。この例では、電源供給装置１の表示機能部１２において、図３Ａで示した表示領域Ｉに、図３Ｂで示した携帯電話機２ａに関するビットマップ情報を当てはめられ、図４に示したような携帯電話機２ａの外形映像Ｐａが表示される。このとき、電源供給装置１は、携帯電話機２ａにおいて電源供給ポイントを与える座標情報Ｄ２を、自身の電源供給ポイントを与える座標情報Ｄ２と一致させて、外形映像Ｐａを表示する。
【手続補正１９】
【補正対象書類名】明細書
【補正対象項目名】００９２
【補正方法】変更
【補正の内容】
【００９２】
音楽プレーヤ２ｂは、第２の無線電子機器の機能を構成し、所定指向性のアンテナを兼用する２次コイル（以下アンテナコイル２１１という）を有し、かつ、当該アンテナコイル２１１を電源供給装置１のアンテナコイル１１３に整合させるためのアンテナ整合用の端末情報Ｄ０を有して無線通信処理をするものである。アンテナコイル２１１は円形状を成し、音楽プレーヤ２ｂの筐体背面内部に配置される。音楽プレーヤ２ｂは、携帯電話機２ａと同様にして、例えば、ブルートゥース（Bluetooth）（登録商標）等の２．４５ＧＨｚ帯の近距離無線通信機能を有している。
【手続補正２０】
【補正対象書類名】明細書
【補正対象項目名】００９９
【補正方法】変更
【補正の内容】
【００９９】
図８に示す電源供給システム２００によれば、電源供給装置１０２を有している。電源供給装置１０２は、１次コイル１１３の他に通信用のアンテナ１５を有している。アンテナ１５は無線通信機能部１３に接続される。無線通信機能部１３は、アンテナ１５を相手方のアンテナ２７と整合させる機器載置面に設けられた表示機能部１２に載置された携帯電話機２ａや音楽プレーヤ２ｂ等の端末装置２’との間で無線通信処理をする。
【手続補正２１】
【補正対象書類名】明細書
【補正対象項目名】０１００
【補正方法】変更
【補正の内容】
【０１００】
一方、図８に示す端末装置２’は、２次コイル２１１の他に通信用のアンテナ２７を有している。アンテナ２７は無線通信機能部２４に接続される。無線通信機能部２４は、電源供給装置１０２に対するアンテナ整合時の位置座標系における自機の外形映像Ｐａとアンテナ２７の指向性との関係を表示する外形情報Ｄ１を端末情報格納部２６から読み出して無線通信処理をする。
【手続補正２２】
【補正対象書類名】明細書
【補正対象項目名】０１１９
【補正方法】変更
【補正の内容】
【０１１９】
この例では、機種別情報格納部１６を有し、所定指向性のアンテナコイル１１３を有し、かつ、機器載置面に表示機能部１２を有して無線通信処理をする電源供給装置１０３と、所定指向性のアンテナコイル２１１を有し、かつ、当該アンテナコイル２１１をアンテナコイル１１３に整合させるためのアンテナ整合用の端末情報Ｄ０を有し、識別情報Ｄ３に基づいて無線通信処理をする端末装置２との間で無線方式により充電処理をする場合を前提とする。アンテナ整合時には、携帯電話機２ａが電源供給装置１０３へ端末情報Ｄ０及び識別情報Ｄ３を送信し、電源供給装置１０３が携帯電話機２ａから端末情報Ｄ０＝Ｄ３を受信し、識別情報Ｄ３に基づいて表示機能部１２に携帯電話機２ａの外形映像Ｐａを表示する場合を例に挙げる。
【手続補正２３】
【補正対象書類名】明細書
【補正対象項目名】０１２２
【補正方法】変更
【補正の内容】
【０１２２】
電源供給装置１０３は携帯電話機２ａからの接続応答フレームＦ４を受信し、ステップＳＴ３６で携帯電話機２ａへ端末情報要求フレームＦ５を送信する。その後、携帯電話機２ａは端末情報要求フレームＦ６を受信し、ステップＳＴ３７で電源供給装置１０３へ端末情報応答フレームＦ５を送信する。このとき、携帯電話機２ａでは端末情報格納部２６から識別情報Ｄ３が読み出され、端末情報応答フレームＦ６に端末情報Ｄ０＝識別情報Ｄ３を記述（付加）して電源供給装置１０３に送信するようになされる。
【手続補正２４】
【補正対象書類名】明細書
【補正対象項目名】０１２３
【補正方法】変更
【補正の内容】
【０１２３】
次に、電源供給装置１０３は、携帯電話機２ａからの端末情報応答フレームＦ６を受信し、ステップＳＴ３８で端末機種判別処理を実行する。この処理によれば、端末情報応答フレームＦ６から端末情報Ｄ０＝識別情報Ｄ３を抽出する。電源供給装置１０３の主要制御部１４が識別情報Ｄ３を例えばアドレスにして、機種別情報格納部１６から該当する外形情報Ｄ１および座標情報Ｄ２を読み出す。これにより、携帯電話機２ａや音楽プレーヤ２ｂ等の端末装置２の機種が判別される。
【手続補正２５】
【補正対象書類名】明細書
【補正対象項目名】０１２５
【補正方法】変更
【補正の内容】
【０１２５】
以上のフレームシーケンスは、第１及び第２の実施例と同様にして全て自動的に行われ、携帯電話機２ａ等の端末装置２を電源供給装置１０３に近づけるというユーザ行為により、電源供給装置１０３では携帯電話機２ａの外形表示までが行われる。そして、当該携帯電話機２ａを取り扱うユーザは、第１の実施例と同様にして電源供給装置１０３の表示機能部１２に表示された外形映像Ｐａに沿って当該携帯電話機２ａを載置するようになされる。その後、ステップＳＴ４０で電源供給装置１０３から携帯電話機２ａへ無線方式により充電処理がなされる。この例では、ステップＳＴ３８で端末機種が判別されているので、図９に示したような充電通信処理が実行できるようになる。
【手続補正２６】
【補正対象書類名】明細書
【補正対象項目名】０１２９
【補正方法】変更
【補正の内容】
【０１２９】
この例では、第１及び第３の実施例に係る電源供給システム１００、３００に比べて、アンテナコイル兼用型ではなく、充電用の１・２次コイル１１３，２１１と通信用のアンテナ１５，２７とが分離したシステムである。アンテナコイル１１３は、第２の実施例と同様にして、１次コイル１１３のコイル中心座標に対して所定の位置に設置され、アンテナコイル２１１は、２次コイル２１１のコイル中心座標に対して所定の位置に設置されている。
【手続補正２７】
【補正対象書類名】明細書
【補正対象項目名】０１３０
【補正方法】変更
【補正の内容】
【０１３０】
図１２に示す電源供給システム４００によれば、第４の無線電子機器の機能を構成する電源供給装置１０４を有している。電源供給装置１０４は、第２の実施例と同様にして、１次コイル１１３の他に通信用のアンテナ１５を有している。アンテナ１５は無線通信機能部１３に接続される。
【手続補正２８】
【補正対象書類名】明細書
【補正対象項目名】０１３１
【補正方法】変更
【補正の内容】
【０１３１】
無線通信機能部１３は、アンテナ１５を相手方のアンテナ２７と整合させる機器載置面に設けられた表示機能部１２に載置された携帯電話機２ａや音楽プレーヤ２ｂ等の端末装置２との間で識別情報Ｄ３に基づいて無線通信処理をする。識別情報Ｄ３は、電源供給装置１０４に対するアンテナ整合時の位置座標系における自機の外形映像Ｐａ等とアンテナ指向性との関係を表示するための外形情報Ｄ１＋座標情報Ｄ２を読み出す情報である。
【手続補正２９】
【補正対象書類名】明細書
【補正対象項目名】０１３２
【補正方法】変更
【補正の内容】
【０１３２】
一方、図１２に示す端末装置２は、２次コイル２１１の他に通信用のアンテナ２７を有している。アンテナ２７は無線通信機能部２４に接続される。無線通信機能部２４は、識別情報Ｄ３を端末情報格納部２６から読み出して無線通信処理をする。識別情報Ｄ３は、電源供給装置１０４に対するアンテナ整合時の位置座標系における自機の外形映像Ｐａとアンテナ２７の指向性との関係を表示する外形情報Ｄ１を読み出すための情報である。
【手続補正３０】
【補正対象書類名】明細書
【補正対象項目名】０１４２
【補正方法】変更
【補正の内容】
【０１４２】
端末装置２０１は、第２の無線電子機器の機能を構成し、所定指向性のアンテナ２７を有し、かつ、当該アンテナ２７をデータ通信装置１０５のアンテナ１５に整合させるためのアンテナ整合用の端末情報Ｄ０’を有して無線通信処理をするものである。アンテナ２７も円形状を成し、携帯電話機２ｃの筐体背面内部に配置される。アンテナ２７も、例えば、相手方の無線電子機器に対して送受信時のアンテナ感度を最大にする指向性＃２７を有している。端末装置２０１を成す携帯電話機２ｃや音楽プレーヤ２ｄ等は、例えば、ブルートゥース（Bluetooth）（登録商標）等の２．４５ＧＨｚ帯の近距離無線通信機能を有しているものが使用される。
【手続補正３１】
【補正対象書類名】明細書
【補正対象項目名】０１４３
【補正方法】変更
【補正の内容】
【０１４３】
この例で、ユーザがこれらの端末装置２０１をデータ通信装置１０５に近づけた際に、例えば、携帯電話機２ｃの外形映像Ｐｃが表示機能部１２上で浮かび上がるように表示される。このとき、外形映像Ｐｃは、データ通信装置１０５のアンテナ１５の円形中心座標と、携帯電話機２ｃのアンテナ２７の円形中心座標とが合致し、高効率のデータ通信が可能なレイアウトで表示機能部１２に表示される。
【手続補正３２】
【補正対象書類名】明細書
【補正対象項目名】０１４７
【補正方法】変更
【補正の内容】
【０１４７】
無線通信機能部１３には主要制御部１４が接続され、表示機能部１２及び無線通信機能部１３の入出力を集中制御する。例えば、主要制御部１４は、無線通信機能部１３が携帯電話機２ｃから受信した外形情報Ｄ１及び座標情報Ｄ２’を入力し、この外形情報Ｄ１及び座標情報Ｄ２’を表示機能部１２に出力して、当該携帯電話機２ｃの外形映像Ｐｃを機器載置面で表示するように制御する。主要制御部１４は、ＣＰＵ（中央処理装置）、ＲＯＭ（読出し専用メモリ）、ＲＡＭ（情報随時書込み読み出し可能なメモリ）等を使用して構成される。
【手続補正３３】
【補正対象書類名】明細書
【補正対象項目名】０１４９
【補正方法】変更
【補正の内容】
【０１４９】
このようにデータ通信装置１０５を構成すると、当該データ通信装置１０５と携帯電話機２ｃとの間でアンテナ１５、２７を整合させてデータ通信処理をする場合に、無線通信機能部１３は、携帯電話機２ｃから外形情報Ｄ１を受信する。表示機能部１２は、この外形情報Ｄ１に基づく携帯電話機２ｃの外形映像Ｐｃを表示するようになる。例えば、データ通信装置１０５の機器載置面の表示機能部１２には、データ通信ポイントを与える外形映像Ｐｃが表示される。
【手続補正３４】
【補正対象書類名】明細書
【補正対象項目名】０１５３
【補正方法】変更
【補正の内容】
【０１５３】
端末装置２０１は、例えば、図１４に示すように無線通信機能部２４、主要制御部２５、端末情報格納部２６、表示機能部２８、情報格納部２９及び入力部３０を備えて構成される。アンテナ２７には、無線通信機能部２４が接続され、データ通信装置１０５と無線通信処理を行うようになされる。例えば、無線通信機能部２４は、アンテナ整合時、端末情報格納部２６から読み出された外形情報Ｄ１をデータ通信装置１０５へ送信するようになされる。無線通信機能部２４には、無線通信機能部１３と同様な、２．４５ＧＨｚ帯の近距離無線通信機能や、ＲＦＩＤなどの近距離無線通信に適用されるデータ通信方式が実装される。
【手続補正３５】
【補正対象書類名】明細書
【補正対象項目名】０１５８
【補正方法】変更
【補正の内容】
【０１５８】
このように端末装置２０１を構成すると、２つのアンテナ１５、２７を整合させて無線方式によりデータ通信処理をする場合に、無線通信機能部２４は、アンテナ整合時、データ通信装置１０５へ外形情報Ｄ１を送信するようになされる。従って、データ通信装置１０５の表示機能部１２に表示された外形映像Ｐｃに沿って携帯電話機２ｃ等を載置すると、データ通信装置１０５のアンテナ指向性＃１５と、当該端末装置２０１のアンテナ指向性＃２７とをアンテナ容姿を目視確認して位置合わせすることなく、自己整合的かつ自動的に２つのアンテナ１５、２７を整合できるようになる。これにより、端末装置２０１に対して高効率によりデータ通信処理を実行できるようになり、従来方式の充電システム８００に比べてより高度なデータ通信システム５００を構築できるようになる。
【手続補正３６】
【補正対象書類名】明細書
【補正対象項目名】０１７２
【補正方法】変更
【補正の内容】
【０１７２】
データ通信装置１０５は携帯電話機２ｃからの接続応答フレームＦ４を受信し、ステップＳＴ５６で携帯電話機２ｃへ端末情報要求フレームＦ５を送信する。その後、携帯電話機２ｃは端末情報要求フレームＦ５を受信し、ステップＳＴ５７でデータ通信装置１０５へ端末情報応答フレームＦ６を送信する。このとき、携帯電話機２ｃでは端末情報格納部２６から端末情報Ｄ０’が読み出され、端末情報応答フレームＦ６に端末情報Ｄ０’を記述（付加）してデータ通信装置１０５に送信するようになされる。端末情報Ｄ０’は外形情報Ｄ１＋座標情報Ｄ２’である。
【手続補正３７】
【補正対象書類名】明細書
【補正対象項目名】０１７３
【補正方法】変更
【補正の内容】
【０１７３】
次に、データ通信装置１０５は、携帯電話機２ｃからの端末情報応答フレームＦ６を受信し、ステップＳＴ５８で表示機能部１２に当該携帯電話機２ｃの外形映像Ｐｃを表示する。この例では、データ通信装置１０５の表示機能部１２において、図１５Ａで示した表示領域Ｉに、図１５Ｂで示した携帯電話機２ｃに関するビットマップ情報を当てはめられ、図１６に示したような携帯電話機２ｃの外形映像Ｐｃが表示される。このとき、データ通信装置１０５は、携帯電話機２ｃにおいてデータ通信ポイントを与える座標情報Ｄ２’を、自身のデータ通信ポイントを与える座標情報Ｄ２’と一致させて、外形映像Ｐｃを表示する。
【手続補正３８】
【補正対象書類名】明細書
【補正対象項目名】０１７６
【補正方法】変更
【補正の内容】
【０１７６】
音楽プレーヤ２ｄは、第２の無線電子機器の機能を構成し、所定の指向性＃２７のアンテナ２７を有し、かつ、当該アンテナ２７をデータ通信装置１０５のアンテナ１５に整合させるためのアンテナ整合用の端末情報Ｄ０’を有して無線通信処理をするものである。アンテナ２７は例えば、円形状を成し、音楽プレーヤ２ｄの筐体背面内部に配置される。音楽プレーヤ２ｄは、携帯電話機２ｃと同様にして、例えば、ブルートゥース（Bluetooth）（登録商標）等の２．４５ＧＨｚ帯の近距離無線通信機能を有している。
【手続補正３９】
【補正対象書類名】明細書
【補正対象項目名】０１９０
【補正方法】変更
【補正の内容】
【０１９０】
データ通信装置１０６は携帯電話機２ｃからの接続応答フレームＦ４を受信し、ステップＳＴ６６で携帯電話機２ｃへ端末情報要求フレームＦ５を送信する。その後、携帯電話機２ｃは端末情報要求フレームＦ５を受信し、ステップＳＴ６７でデータ通信装置１０６へ端末情報応答フレームＦ６を送信する。このとき、携帯電話機２ｃでは端末情報格納部２６から識別情報Ｄ３が読み出され、端末情報応答フレームＦ６に端末情報Ｄ０’＝識別情報Ｄ３を記述（付加）してデータ通信装置１０６に送信するようになされる。
【手続補正４０】
【補正対象書類名】明細書
【補正対象項目名】０１９１
【補正方法】変更
【補正の内容】
【０１９１】
次に、データ通信装置１０６は、携帯電話機２ｃからの端末情報応答フレームＦ６を受信し、ステップＳＴ６８で端末機種判別処理を実行する。この処理によれば、端末情報応答フレームＦ６から端末情報Ｄ０’＝識別情報Ｄ３を抽出する。データ通信装置１０６の主要制御部１４が識別情報Ｄ３を例えばアドレスにして、機種別情報格納部１６から該当する外形情報Ｄ１および座標情報Ｄ２’を読み出す。これにより、携帯電話機２ｃや音楽プレーヤ２ｄ等の端末装置２０１の機種が判別される。
【手続補正４１】
【補正対象書類名】明細書
【補正対象項目名】０２００
【補正方法】変更
【補正の内容】
【０２００】
データ通信装置１０７では、主要制御部１４が端末情報Ｄ０’＝外形情報Ｄ１＋座標情報Ｄ２＋座標情報Ｄ２’を表示機能部１２に出力する。表示機能部１２では、これらの端末情報Ｄ０’＝外形情報Ｄ１＋座標情報Ｄ２＋座標情報Ｄ２’に基づいて、機器載置面上に、良好な充電と良好な非接触データ通信との双方を行うことができる外形映像Ｐａ、Ｐｃを独立して表示するようになされる。これにより、ユーザは、機器載置面の表示機能部１２に表示された、電源供給ポイントを与える外形映像Ｐａ又は、データ通信ポイントを与える外形映像Ｐｃとのいずれかを選択できるようになる。
【手続補正４２】
【補正対象書類名】明細書
【補正対象項目名】０２０２
【補正方法】変更
【補正の内容】
【０２０２】
従って、ユーザは、非接触充電処理又は非接触データ通信処理のいずれかを選択して、端末装置２や、端末装置２０１を配置すればよい。これにより、無線電子機器が配置されない面上において、他の携帯電話機２ｃ等の非接触データ通信処理又は非接触充電処理に利用することが可能になる。
【手続補正４３】
【補正対象書類名】図面
【補正対象項目名】図１６
【補正方法】変更
【補正の内容】
【図１６】
2008148148.tif 000025